(57)【要約】  偶数番目の信号線群（１１２Ａ）において、１番目と２番目の信号線（１１２）は表示領域（１０１）内と非表示領域（１０２）内とで配列順が逆転しており、３番目と４番目の信号線（１１２）も同様である。非表示領域（１０２）内の１番目〜１６番目の信号線（１１２）の端部は１番目〜１６番目の個別ドライバ（２１２）にそれぞれ接続されている。個別ドライバ（２１２）は奇数番目と偶数番目とで逆極性の駆動信号（Ｓ１２）を出力する。このため、第１方向Ｄ１（横方向）に並んだ同色のサブピクセル（１０３）の極性が、奇数番目の信号線群（１１２Ａ）に接続されたサブピクセル（１０３）と、偶数番目の信号線群（１１２Ａ）に接続されたサブピクセル（１０３）と、で異なる。すなわち、横方向に並んだ同色のサブピクセル（１０３）の全てが同じ極性を有さない。その結果、横シャドーを低減することができる。
2007063620.tif 000002
【特許請求の範囲】
【請求項１】
表示領域内に２次元配列されたＰ種類（Ｐは４以上の偶数）の色の複数のサブピクセルと、
前記複数のサブピクセルに接続された複数の信号線とを含む、表示部材と、
前記複数の信号線に接続されており前記各信号線へ印加する駆動信号として互いに極性が逆の第１信号と第２信号とのいずれかを出力するドライバを含む、駆動装置とを備えた表示装置であって、
前記複数の信号線は、前記表示領域内において第１方向に配列されかつ前記第１方向に直交する第２方向にそれぞれ延在しており、
前記複数の信号線を前記表示領域内で連続するＱ本（ＱはＰの自然数倍）ごとに複数の信号線群に区分した場合に、
前記複数のサブピクセルはＰ種類の色が前記第１方向に繰り返し並ぶように２次元配列されており、これにより前記各信号線群のｓ番目（ｓは１以上Ｑ以下の自然数）の前記信号線には互いに同じ色の前記サブピクセルが接続されており、
前記表示装置は、奇数番目の前記信号線群の前記表示領域内でｓ番目の前記信号線へ前記第１信号が印加されるときには偶数番目の前記信号線群の前記表示領域内でｓ番目の前記信号線へ前記第２信号が印加されるように、かつ、前記各信号線群内において前記表示領域内で隣接する前記信号線には前記第１信号および前記第２信号がそれぞれ印加されるように、構成されていることを特徴とする表示装置。
【請求項２】
Ｑ＝Ｐであることを特徴とする請求項１に記載の表示装置。
【請求項３】
前記複数の信号線は、前記表示領域内での配列順序を保ったまま、前記表示部材において前記表示領域外の領域である非表示領域へさらに延在しており、
前記ドライバは、前記複数の信号線用の複数の個別ドライバを有しており
前記複数の個別ドライバを連続するＱ個ごとに複数の個別ドライバ群に区分した場合に、前記ドライバは、奇数番目の前記個別ドライバ群のｓ番目の前記個別ドライバが前記第１信号を出力するときには偶数番目の前記個別ドライバ群のｓ番目の前記個別ドライバは前記第２信号を出力するように、かつ、前記各個別ドライバ群内において隣接する前記個別ドライバは前記第１信号および前記第２信号をそれぞれ出力するように、構成されており、ｔ番目（ｔは自然数）の前記個別ドライバは、前記非表示領域内でｔ番目に配列された前記信号線に前記非表示領域内で接続されていることを特徴とする請求項１ないし請求項２のいずれかに記載の表示装置。
【請求項４】
前記駆動装置は、前記各サブピクセルの階調に関する色ごとのデータ列から成る第１並列データ列を第１クロックに同期して遅延させて複数の第２並列データ列を生成し、
前記複数の第２並列データ列中から、前記第１クロックよりも周波数の高い第２クロックに同期しかつ前記表示領域内での前記第１方向における色の配列順に従って、
Ｋ個（ＫはＰよりも小さい自然数）のデータを並列にサンプリングしてＫ個のデータ列から成る第３並列データ列を生成し、
前記ドライバは、前記第３並列データ列に基づいて前記駆動信号を生成することを特徴とする請求項３に記載の表示装置。
【請求項５】
Ｋ＝３であることを特徴とする請求項４に記載の表示装置。
【請求項６】
前記ドライバは、前記複数の信号線用の複数の個別ドライバを有しており、
前記各個別ドライバは前記第１信号と前記第２信号とのいずれかを出力するように構成されており、少なくとも１対の前記信号線は前記表示部材において前記表示領域外の領域である非表示領域へさらに延在しているが前記非表示領域内において各対内で配列順序が逆転しており、
残りの前記信号線は前記表示領域内での配列順序を保ったまま前記表示部材において前記非表示領域へさらに延在しており、
ｖ番目（ｖは自然数）の前記個別ドライバは、前記非表示領域内でｖ番目に配列された前記信号線に前記非表示領域内で接続されていることを特徴とする請求項１ないし請求項２のいずれかに記載の表示装置。
【請求項７】
前記ドライバは、前記複数の信号線用の複数の個別ドライバを有しており、奇数番目の前記個別ドライバが前記第１信号を出力するときには偶数番目の前記個別ドライバは前記第２信号を出力するように構成されており、
奇数番目の前記信号線群と偶数番目の前記信号線群とについて、
一方の前記信号線群の前記信号線は前記表示領域内での配列順序を保ったまま前記表示部材において前記表示領域外の領域である非表示領域へさらに延在しており、
他方の前記信号線群の前記信号線は前記非表示領域へさらに延在しているがｕ番目（ｕは１以上Ｑ以下の奇数）の前記信号線と（ｕ＋１）番目の前記信号線とが前記非表示領域内において配列順序が逆転しており、
ｖ番目（ｖは自然数）の前記個別ドライバは、前記非表示領域内でｖ番目に配列された前記信号線に前記非表示領域内で接続されていることを特徴とする請求項１ないし請求項２のいずれかに記載の表示装置。
【請求項８】
前記駆動装置は、前記各サブピクセルの階調に関する色ごとのデータ列から成る第１並列データ列を第１クロックに同期して遅延させて複数の第２並列データ列を生成し、
前記複数の第２並列データ列中から、前記第１クロックよりも周波数の高い第２クロックに同期しかつ前記表示領域内での前記第１方向における色の配列順に従って、
Ｋ個（ＫはＰよりも小さい自然数）のデータを並列にサンプリングしてＫ個のデータ列から成る第３並列データ列を生成し、
前記第３並列データ列を前記第２クロックに同期して遅延させて複数の第４並列データ列を生成し、
前記複数の第４並列データ列中から、前記第２クロックに同期しかつ前記非表示領域内における前記信号線の配列順および前記各信号線に接続された前記サブピクセルの色に従って、Ｋ個のデータを並列にサンプリングしてＫ個のデータ列から成る第５並列データ列を生成し、
前記ドライバは、前記第５並列データ列に基づいて前記駆動信号を生成することを特徴とする請求項７に記載の表示装置。
【請求項９】
Ｋ＝３であることを特徴とする請求項８に記載の表示装置。
【請求項１０】
互いに隣接しかつ隣接する前記信号線群にそれぞれ属する２本の前記信号線間にはＰ種類の色のうちで最も色味の少ない色の前記サブピクセルが配置されていることを特徴とする請求項１ないし請求項９のいずれかに記載の表示装置。
【請求項１１】
前記最も色味の少ない色は、白(Ｗ)と黄(Ｙ)とのいずれかであることを特徴とする請求項１０に記載の表示装置。
【請求項１２】
互いに隣接しかつ隣接する前記信号線群にそれぞれ属する２本の前記信号線間にはＰ種類の色のうちで最も輝度の低い色の前記サブピクセルが配置されていることを特徴とする請求項１ないし請求項９のいずれかに記載の表示装置。
【請求項１３】
前記最も輝度の低い色は、青(Ｂ)とマゼンタ（Ｍ）とのいずれかであることを特徴とする請求項１２に記載の表示装置。
【請求項１４】
前記２本の信号線のうちの一方の前記信号線には前記最も輝度の低い色のサブピクセルが接続され、前記２本の信号線のうちの他方の前記信号線にはＰ種類の色のうちで最も色味の少ない色の前記サブピクセルが接続されており、
前記駆動装置は、前記Ｐ種類の色の前記サブピクセルで構成される各画素について、前記最も色味の少ないサブピクセル用の前記駆動信号の振幅を、他の色の前記サブピクセル用の前記駆動信号のうちの最小信号と同等以下に設定することを特徴とする請求項１２ないし請求項１３のいずれかに記載の表示装置。
【請求項１５】
前記２本の信号線のうちの一方の前記信号線には前記最も輝度の低い色のサブピクセルが接続され、前記２本の信号線のうちの他方の前記信号線にはＰ種類の色のうちで最も色味の少ない色の前記サブピクセルが接続されており、
前記駆動装置は、前記他方の信号線へ印加する前記駆動信号の振幅を、前記一方の信号線へ印加する前記駆動信号と同等以下に設定することを特徴とする請求項１２ないし請求項１４のいずれかに記載の表示装置。
【請求項１６】
前記表示装置は、前記２本の信号線間に配置された前記サブピクセルの色と白との混合光と、前記２本の信号線間に配置された前記サブピクセルの色の補色と白との混色光と、のいずれかを出射するように構成され、
かつ、前記混色光が前記表示部材へ照射されるように配置された、バックライト装置をさらに備えることを特徴とする請求項１０ないし請求項１５のいずれかに記載の表示装置。
【請求項１７】
互いに隣接しかつ隣接する前記信号線群にそれぞれ属する２本の前記信号線間に配置された前記サブピクセルは他の前記サブピクセルよりも開口率が低いことを特徴とする請求項１ないし請求項９のいずれかに記載の表示装置。
【請求項１８】
互いに隣接しかつ隣接する前記信号線群にそれぞれ属する２本の前記信号線間に配置された前記サブピクセルは他の前記サブピクセルよりも開口率が高いことを特徴とする請求項１ないし請求項９のいずれかに記載の表示装置。
【請求項１９】
前記２本の信号線間に配置された前記サブピクセルと前記他のサブピクセルとについて灰色表示時に輝度が同等になるように、前記開口率が設定されていることを特徴とする請求項１７ないし請求項１８のいずれかに記載の表示装置。
【請求項２０】
互いに隣接しかつ隣接する前記信号線群にそれぞれ属する２本の前記信号線間には複数色の前記サブピクセルが前記第２方向に配置されていることを特徴とする請求項１ないし請求項９のいずれかに記載の表示装置。
【請求項２１】
前記２本の信号線間にはＰ種類の色の前記サブピクセルが前記第２方向に繰り返し並んでいることを特徴とする請求項２０に記載の表示装置。
【請求項２２】
前記駆動装置は、互いに隣接しかつ隣接する前記信号線群にそれぞれ属する２本の前記信号線間に配置された前記サブピクセルへ供給する前記駆動信号の振幅を、前記２本の信号線のうちで前記２本の信号線間に配置された前記サブピクセルに接続されていない方の前記信号線へ印加する前記駆動信号の振幅に基づいて補正することを特徴とする請求項１ないし請求項９のいずれかに記載の表示装置。
【請求項２３】
前記駆動装置は、前記各サブピクセルへ供給する前記駆動信号の振幅を、隣接する前記信号線へ印加する前記駆動信号の振幅に基づいて補正することを特徴とする請求項１ないし請求項９および請求項２２のいずれかに記載の表示装置。
【請求項２４】
Ｐ種類の色は、
赤(Ｒ)、緑(Ｇ)、青(Ｂ)および白(Ｗ)の４色と、
赤(Ｒ)、緑(Ｇ)、青(Ｂ)および黄(Ｙ)の４色と、
シアン(Ｃ)、マゼンタ(Ｍ)、黄(Ｙ)および緑(Ｇ)の４色と、
赤(Ｒ)、緑(Ｇ)、青(Ｂ)、シアン(Ｃ)、マゼンタ(Ｍ)および黄(Ｙ)の６色と、
のいずれかであることを特徴とする請求項１ないし請求項２３のいずれかに記載の表示装置。
【請求項２５】
前記表示部材は液晶パネルであることを特徴とする請求項１ないし請求項２４のいずれかに記載の表示装置。
【請求項２６】
表示領域内に２次元配列されたＰ種類（Ｐは４以上の偶数）の色の複数のサブピクセルと、前記複数のサブピクセルに接続された複数の信号線とを含む、表示部材の駆動方法であって、
前記複数の信号線は、前記表示領域内において第１方向に配列されかつ前記第１方向に直交する第２方向にそれぞれ延在しており、
前記複数の信号線を前記表示領域内で連続するＱ本（ＱはＰの自然数倍）ごとに複数の信号線群に区分した場合に、
前記複数のサブピクセルはＰ種類の色が前記第１方向に繰り返し並ぶように２次元配列されており、これにより前記各信号線群のｓ番目（ｓは１以上Ｑ以下の自然数）の前記信号線には互いに同じ色の前記サブピクセルが接続されており、
前記駆動方法は、奇数番目の前記信号線群の前記表示領域内でｓ番目の前記信号線へ前記第１信号を印加するときには偶数番目の前記信号線群の前記表示領域内でｓ番目の前記信号線へ前記第２信号を印加し、
かつ、前記各信号線群内において前記表示領域内で隣接する前記信号線には前記第１信号および前記第２信号をそれぞれ印加することを特徴とする表示部材の駆動方法。
【請求項２７】
Ｑ＝Ｐであることを特徴とする請求項２６に記載の表示部材の駆動方法。
【請求項２８】
前記複数の信号線は、前記表示領域内での配列順序を保ったまま、前記表示部材において前記表示領域外の領域である非表示領域へさらに延在しており、
前記駆動方法は、奇数番目の前記信号線群の前記非表示領域内でｔ番目（ｔは自然数）の前記信号線へ前記第１信号を印加するときには偶数番目の前記信号線群の前記非表示領域内でｔ番目の前記信号線へ前記第２信号を印加し、
かつ、前記各信号線群内において前記非表示領域内で隣接する前記信号線には前記第１信号および前記第２信号をそれぞれ印加することを特徴とする請求項２６ないし請求項２７のいずれかに記載の表示部材の駆動方法。
【請求項２９】
前記各サブピクセルの階調に関する色ごとのデータ列から成る第１並列データ列を第１クロックに同期して遅延させて複数の第２並列データ列を生成し、
前記複数の第２並列データ列中から、前記第１クロックよりも周波数の高い第２クロックに同期しかつ前記表示領域内での前記第１方向における色の配列順に従って、Ｋ個（ＫはＰよりも小さい自然数）のデータを並列にサンプリングしてＫ個のデータ列から成る第３並列データ列を生成し、
前記第３並列データ列に基づいて前記駆動信号を生成することを特徴とする請求項２８に記載の表示部材の駆動方法。
【請求項３０】
Ｋ＝３であることを特徴とする請求項２９に記載の表示部材の駆動方法。
【請求項３１】
少なくとも１対の前記信号線は前記表示部材において前記表示領域外の領域である非表示領域へさらに延在しているが前記非表示領域内において各対内で配列順序が逆転しており、
残りの前記信号線は前記表示領域内での配列順序を保ったまま前記表示部材において前記非表示領域へさらに延在しており、
前記少なくとも１対の信号線へ各対ごとに前記第１信号および前記第２信号をそれぞれ印加することを特徴とする請求項２６ないし請求項２７のいずれかに記載の表示部材の駆動方法。
【請求項３２】
奇数番目の前記信号線群と偶数番目の前記信号線群とについて、一方の前記信号線群の前記信号線は前記表示領域内での配列順序を保ったまま前記表示部材において前記表示領域外の領域である非表示領域へさらに延在しており、
他方の前記信号線群の前記信号線は前記非表示領域へさらに延在しているがｕ番目（ｕは１以上Ｑ以下の奇数）の前記信号線と（ｕ＋１）番目の前記信号線とが前記非表示領域内において配列順序が逆転しており、
前記非表示領域内で奇数番目の前記信号線に前記第１信号を印加するときには前記非表示領域内で偶数番目の前記信号線には前記第２信号を印加することを特徴とする請求項２６ないし請求項２７のいずれかに記載の表示部材の駆動方法。
【請求項３３】
前記各サブピクセルの階調に関する色ごとのデータ列から成る第１並列データ列を第１クロックに同期して遅延させて複数の第２並列データ列を生成し、
前記複数の第２並列データ列中から、前記第１クロックよりも周波数の高い第２クロックに同期しかつ前記表示領域内での前記第１方向における色の配列順に従って、
Ｋ個（ＫはＰよりも小さい自然数）のデータを並列にサンプリングしてＫ個のデータ列から成る第３並列データ列を生成し、
前記第３並列データ列を前記第２クロックに同期して遅延させて複数の第４並列データ列を生成し、
前記複数の第４並列データ列中から、前記第２クロックに同期しかつ前記非表示領域内における前記信号線の配列順および前記各信号線に接続された前記サブピクセルの色に従って、Ｋ個のデータを並列にサンプリングしてＫ個のデータ列から成る第５並列データ列を生成し、
前記第５並列データ列に基づいて前記駆動信号を生成することを特徴とする請求項３２に記載の表示部材の駆動方法。
【請求項３４】
Ｋ＝３であることを特徴とする請求項３３に表示部材の駆動方法。
【請求項３５】
Ｐ種類の色のうちで最も色味の少ない色の前記サブピクセルの両側の前記信号線が異なる前記信号線群に属するように前記複数の信号線を区分することを特徴とする請求項２６ないし請求項３４のいずれかに記載の表示部材の駆動方法。
【請求項３６】
前記最も色味の少ない色は、白(Ｗ)と黄(Ｙ)とのいずれかであることを特徴とする請求項３５に記載の表示部材の駆動方法。
【請求項３７】
Ｐ種類の色のうちで最も輝度の低い色の前記サブピクセルの両側の前記信号線が異なる前記信号線群に属するように前記複数の信号線を区分することを特徴とする請求項２６ないし請求項３４のいずれかに記載の表示部材の駆動方法。
【請求項３８】
前記最も輝度の低い色は、青(Ｂ)とマゼンタ（Ｍ）とのいずれかであることを特徴とする請求項３７に記載の表示部材の駆動方法。
【請求項３９】
前記両側の信号線のうちの一方の前記信号線には前記最も輝度の低い色のサブピクセルが接続され、前記両側の信号線のうちの他方の前記信号線にはＰ種類の色のうちで最も色味の少ない色の前記サブピクセルが接続されており、
前記駆動方法は、前記Ｐ種類の色の前記サブピクセルで構成される各画素について、
前記最も色味の少ないサブピクセル用の前記駆動信号の振幅を、他の色の前記サブピクセル用の前記駆動信号のうちの最小信号と同等以下に設定することを特徴とする請求項３７ないし請求項３８のいずれかに記載の表示部材の駆動方法。
【請求項４０】
前記両側の信号線のうちの一方の前記信号線には前記最も輝度の低い色のサブピクセルが接続され、
前記両側の信号線のうちの他方の前記信号線にはＰ種類の色のうちで最も色味の少ない色の前記サブピクセルが接続されており、
前記駆動方法は、前記他方の信号線へ印加する前記駆動信号の振幅を、前記一方の信号線へ印加する前記駆動信号と同等以下に設定することを特徴とする請求項３７ないし請求項３９のいずれかに記載の表示部材の駆動方法。
【請求項４１】
前記両側の信号線間に配置された前記サブピクセルの色と白との混合光と、前記両側の信号線間に配置された前記サブピクセルの色の補色と白との混色光と、のいずれかをバックライトとして前記表示部材へ照射することを特徴とする請求項３５ないし請求項４０のいずれかに記載の表示部材の駆動方法。
【請求項４２】
互いに隣接しかつ隣接する前記信号線群にそれぞれ属する２本の前記信号線間に配置された前記サブピクセルは他の前記サブピクセルよりも開口率が低いことを特徴とする請求項２６ないし請求項３４のいずれかに記載の表示部材の駆動方法。
【請求項４３】
互いに隣接しかつ隣接する前記信号線群にそれぞれ属する２本の前記信号線間に配置された前記サブピクセルは他の前記サブピクセルよりも開口率が高いことを特徴とする請求項２６ないし請求項３４のいずれかに記載の表示部材の駆動方法。
【請求項４４】
前記２本の信号線間に配置された前記サブピクセルと前記他のサブピクセルとについて灰色表示時に輝度が同等になるように、前記開口率が設定されていることを特徴とする請求項４２ないし請求項４３のいずれかに記載の表示部材の駆動方法。
【請求項４５】
互いに隣接しかつ隣接する前記信号線群にそれぞれ属する２本の前記信号線間には複数色の前記サブピクセルが前記第２方向に配置されていることを特徴とする請求項２６ないし請求項３４のいずれかに記載の表示部材の駆動方法。
【請求項４６】
前記２本の信号線間にはＰ種類の色の前記サブピクセルが前記第２方向に繰り返し並んでいることを特徴とする請求項４５に記載の表示部材の駆動方法。
【請求項４７】
互いに隣接しかつ隣接する前記信号線群にそれぞれ属する２本の前記信号線間に配置された前記サブピクセルへ供給する前記駆動信号の振幅を、
前記２本の信号線のうちで前記２本の信号線間に配置された前記サブピクセルに接続されていない方の前記信号線へ印加する前記駆動信号の振幅に基づいて補正することを特徴とする請求項２６ないし請求項３４のいずれかに記載の表示部材の駆動方法。
【請求項４８】
前記各サブピクセルへ供給する前記駆動信号の振幅を、隣接する前記信号線へ印加する前記駆動信号の振幅に基づいて補正することを特徴とする請求項２６ないし請求項３４および請求項４７のいずれかに記載の表示部材の駆動方法。
【請求項４９】
Ｐ種類の色は、
赤(Ｒ)、緑(Ｇ)、青(Ｂ)および白(Ｗ)の４色と、
赤(Ｒ)、緑(Ｇ)、青(Ｂ)および黄(Ｙ)の４色と、
シアン(Ｃ)、マゼンタ(Ｍ)、黄(Ｙ)および緑(Ｇ)の４色と、
赤(Ｒ)、緑(Ｇ)、青(Ｂ)、シアン(Ｃ)、マゼンタ(Ｍ)および黄(Ｙ)の６色と、
のいずれかであることを特徴とする請求項２６ないし請求項４８のいずれかに記載の表示部材の駆動方法。
【請求項５０】
前記表示部材は液晶パネルであることを特徴とする請求項２６ないし請求項４９のいずれかに記載の表示部材の駆動方法。
【発明の詳細な説明】
【技術分野】
【０００１】
本発明は、表示装置および表示部材の駆動方法に関し、具体的にはシャドー（クロストーク）を低減するための技術に関する。
【背景技術】
【０００２】
図３０に液晶パネルの従来の駆動方法（第１例）を説明するための模式図を示す。図３０に示すように、液晶パネル１００Ｚ１ではサブピクセル１０３Ｚがマトリクス配列されており、行方向（図面横方向）には赤（Ｒ）、緑（Ｇ）および青（Ｂ）の３色のサブピクセル１０３Ｚがこの順序で繰り返し並んでおり、列方向（図面縦方向）には同色のサブピクセル１０３Ｚが並んでいる。【０００３】
図中においてサブピクセル１０３Ｚ中に記した“＋”および“−”はそのサブピクセル１０３Ｚ（のサブピクセル電極（画素電極とも呼ばれる）の電圧）の極性を表しており、図３０にはいわゆるドット反転駆動の場合の極性を図示している。【０００４】
図３１に従来の駆動方法（第２例）を説明するための模式図を示す。図３１に示すように、液晶パネル１００Ｚ２では、図３０の液晶パネル１００Ｚ１と同様にサブピクセル１０３Ｚがマトリクス配列されているが、赤（Ｒ）、緑（Ｇ）および青（Ｂ）のサブピクセル１０３Ｚに加えて白（Ｗ）のサブピクセル１０３Ｚが設けられている。【０００５】
具体的には、行方向には白（Ｗ）、赤（Ｒ）、緑（Ｇ）および青（Ｂ）の４色のサブピクセル１０３Ｚがこの順序で繰り返し並んでおり、列方向には同色のサブピクセル１０３Ｚが並んでいる。このように白（Ｗ）のサブピクセル１０３Ｚを加えると輝度を向上できる。なお、図３１にはドット反転駆動の場合の極性を図示している。
【特許文献１】特開２００３−２９５１５７号公報
【特許文献２】特開平１１−２９５７１７号公報
【特許文献３】特開平１０−１０９９８号公報
【特許文献４】特開平２−１１８５２１号公報
【特許文献５】特開２００４−７８２１８号公報
【特許文献６】特開２００５−２０２３７７号公報
【発明の開示】
【発明が解決しようとする課題】
【０００６】
さて、上述の液晶パネル１００Ｚ２において単色または補色の表示を行うと、ドット反転駆動を行っても、横シャドー（横クロストーク）（図３４参照）が発生するという問題がある。この点を図３２および図３３を参照して説明する。【０００７】
図３２および図３３には液晶パネル１００Ｚ１，１００Ｚ２において赤（Ｒ）のみを表示させた場合を図示している。図３２に示すように３色の液晶パネル１００Ｚ１では単色表示時において行方向に“＋”および“−”のサブピクセル１０３Ｚが交互に並ぶのに対して、図３３に示すように４色の液晶パネル１００Ｚ２では行方向に同じ極性のサブピクセル１０３Ｚが並ぶ。【０００８】
このように同極性のサブピクセル１０３Ｚが行方向にそろうと横シャドーが発生するのである。この問題点は、４色に限らず、偶数色の場合について同様である。【０００９】
本発明は、かかる点にかんがみてなされたものであり、上述のシャドー（クロストーク）を低減可能な表示装置および表示部材の駆動方法を提供することを目的とする。
【課題を解決するための手段】
【００１０】
上記目的を達成するために本発明は、表示領域内に２次元配列されたＰ種類（Ｐは４以上の偶数）の色の複数のサブピクセルと、前記複数のサブピクセルに接続された複数の信号線とを含む、表示部材と、前記複数の信号線に接続されており前記各信号線へ印加する駆動信号として互いに極性が逆の第１信号と第２信号とのいずれかを出力するドライバを含む、駆動装置とを備えた表示装置であって、前記複数の信号線は、前記表示領域内において第１方向に配列されかつ前記第１方向に直交する第２方向にそれぞれ延在しており、前記複数の信号線を前記表示領域内で連続するＱ本（ＱはＰの自然数倍）ごとに複数の信号線群に区分した場合に、前記複数のサブピクセルはＰ種類の色が前記第１方向に繰り返し並ぶように２次元配列されており、これにより前記各信号線群のｓ番目（ｓは１以上Ｑ以下の自然数）の前記信号線には互いに同じ色の前記サブピクセルが接続されており、前記表示装置は、奇数番目の前記信号線群の前記表示領域内でｓ番目の前記信号線へ前記第１信号が印加されるときには偶数番目の前記信号線群の前記表示領域内でｓ番目の前記信号線へ前記第２信号が印加されるように、かつ、前記各信号線群内において前記表示領域内で隣接する前記信号線には前記第１信号および前記第２信号がそれぞれ印加されるように、構成されていることを特徴とする。【００１１】
さらに、本発明は、表示領域内に２次元配列されたＰ種類（Ｐは４以上の偶数）の色の複数のサブピクセルと、前記複数のサブピクセルに接続された複数の信号線とを含む、表示部材の駆動方法であって、前記複数の信号線は、前記表示領域内において第１方向に配列されかつ前記第１方向に直交する第２方向にそれぞれ延在しており、前記複数の信号線を前記表示領域内で連続するＱ本（ＱはＰの自然数倍）ごとに複数の信号線群に区分した場合に、前記複数のサブピクセルはＰ種類の色が前記第１方向に繰り返し並ぶように２次元配列されており、これにより前記各信号線群のｓ番目（ｓは１以上Ｑ以下の自然数）の前記信号線には互いに同じ色の前記サブピクセルが接続されており、前記駆動方法は、奇数番目の前記信号線群の前記表示領域内でｓ番目の前記信号線へ前記第１信号を印加するときには偶数番目の前記信号線群の前記表示領域内でｓ番目の前記信号線へ前記第２信号を印加し、かつ、前記各信号線群内において前記表示領域内で隣接する前記信号線には前記第１信号および前記第２信号をそれぞれ印加することを特徴とする。
【発明の効果】
【００１２】
このような構成によれば、第１方向に並んだ同色のサブピクセル（のサブピクセル電極の電位）について、奇数番目の信号線群に接続されたサブピクセルと偶数番目の信号線群に接続されたサブピクセルとで極性を違えることができる。これにより、第１方向のシャドー（クロストーク）を低減することができる。
【図面の簡単な説明】
【００１３】
【図１】本発明の実施形態１に係る表示装置を説明するための模式図である。
【図２】本発明の実施形態１に係る表示装置を説明するための模式図である。
【図３】本発明の実施形態１に係る液晶パネルを説明するための平面図（レイアウト図）である。
【図４】図３中の４−４線における断面図である。
【図５】本発明の実施形態１に係る表示装置を説明するためのブロック図である。
【図６】本発明の実施形態１に係る表示装置を説明するためのブロック図である。
【図７】本発明の実施形態１に係る表示装置を説明するための模式図である。
【図８】本発明の実施形態１に係る表示装置を説明するためのタイミングチャートである。
【図９】本発明の実施形態１に係る表示装置を説明するための模式図である。
【図１０】本発明の実施形態１に係る表示装置を説明するための模式図である。
【図１１】本発明の実施形態１に係る表示装置を説明するための模式図である。
【図１２】本発明の実施形態２に係る表示装置を説明するための模式図である。
【図１３】本発明の実施形態２に係る表示装置を説明するための模式図である。
【図１４】本発明の実施形態２に係る表示装置を説明するための模式図である。
【図１５】本発明の実施形態２に係る表示装置を説明するためのタイミングチャートである。
【図１６】本発明の実施形態２に係る表示装置を説明するための模式図である。
【図１７】サブピクセルの電圧変化を説明するための模式図である。
【図１８】本発明の実施形態１，２に係る表示装置の色味を説明するためのグラフ（色度図）である。
【図１９】本発明の実施形態３に係る表示装置を説明するための模式図である。
【図２０】本発明の実施形態４に係る表示装置を説明するための模式図である。
【図２１】本発明の実施形態４に係る表示装置を説明するための模式図である。
【図２２】本発明の実施形態５に係る液晶パネルを説明するための模式図である。
【図２３】本発明の実施形態５に係る表示装置を説明するためのグラフ（色度図）である。
【図２４】本発明の実施形態５に係る表示装置を説明するためのグラフである。
【図２５】本発明の実施形態５に係る表示装置を説明するためのグラフである。
【図２６】本発明の実施形態５に係る他の液晶パネルを説明するための模式図である。
【図２７】本発明の実施形態６に係る表示装置を説明するための模式図である。
【図２８】本発明の実施形態７に係る駆動方法を説明するための模式図である。
【図２９】本発明の実施形態７に係る他の駆動方法を説明するための模式図である。
【図３０】液晶パネルの従来の駆動方法（第１例）を説明するための模式図である。
【図３１】液晶パネルの従来の駆動方法（第２例）を説明するための模式図である。
【図３２】液晶パネルの従来の駆動方法（第１例）を説明するための模式図である。
【図３３】液晶パネルの従来の駆動方法（第２例）を説明するための模式図である。
【図３４】横シャドーを説明するための模式図である。
【図３５】縦シャドーを説明するための模式図である。
【符号の説明】
【００１４】
１０Ａ〜１０Ｃ，１０Ｆ    表示装置
１００Ａ〜１００Ｆ        液晶パネル（表示部材）
１０１                    表示領域
１０２                    非表示領域
１０３                    サブピクセル
１０４                    画素
１１２                    信号線
１１２Ａ                  信号線群
２００                    駆動装置
２１０Ａ，２１０Ｂ        ソースドライバ（ドライバ）
２１２                    個別ドライバ
２１２Ａ                  個別ドライバ群
３００                    バックライト装置
Ｄ１                      第１方向
Ｄ２                      第２方向
Ｓ１２                    駆動信号（第１信号，第２信号）
ＣＫ１                    クロック信号（第１クロック）
ＣＫ２                    クロック信号（第２クロック）
ＤＡ１                    第１並列データ列
ＤＡ２＿Ｌ，ＤＡ２＿２Ｌ  第２並列データ列
ＤＡ３                    第３並列データ列
ＤＡ４＿Ｌ，ＤＡ４＿２Ｌ，ＤＡ４＿３Ｌ    第４並列データ列
ＤＡ５                    第５並列データ列
Ｘ，Ｙ，Ｚ，ＸＣ，ＹＣ，ＺＣ，ＸＳ，ＹＳ，ＺＳ    データ（データ列）
Ｗ０，Ｒ０，Ｇ０，Ｂ０    データ（データ列）
【発明を実施するための最良の形態】
【００１５】
図１および図２に実施形態１に係る表示装置１０Ａを説明するための模式図を示す。表示装置１０Ａは、表示部材としての液晶パネル１００Ａと、液晶パネル１００Ａの駆動装置２００と、液晶パネル１００Ａへバックライトを照射可能に配置されたバックライト装置３００とを含んでおり、いわゆる透過型の液晶表示装置である。なお、図２等ではバックライト装置３００を省略している。【００１６】
液晶パネル１００Ａは、サブピクセル１０３が配置された表示領域１０１と、当該表示領域１０１以外の領域である非表示領域１０２とに大別される。液晶パネル１００Ａでは、非表示領域１０２は液晶パネル１００Ａ（の画面）の平面視において表示領域１０１を取り囲むように設けられている。【００１７】
なお、両領域１０１，１０２は液晶パネル１００Ａの平面視における２次元領域のみならず、当該２次元領域を液晶パネル１００Ａの厚さ方向（後述の基板１１０，１３０の積み重ね方向（図４参照））に投影して把握される液晶パネル１００Ａの３次元領域をも指すこととする。【００１８】
図２に示すように、各サブピクセル１０３は白（Ｗ）、赤（Ｒ）、緑（Ｇ）および青（Ｂ）の４種類の色（すなわち４色）のうちのいずれかの色を表示する。なお、図中において、“Ｗ”はそのサブピクセル１０３の表示色が白であることを示し、同様に“Ｒ”，“Ｇ”および“Ｂ”は赤、緑および青であることをそれぞれ示す。【００１９】
複数のサブピクセル１０３は、２次元的にマトリクス配列されており、換言すれば互いに直交する第１方向Ｄ１および第２方向Ｄ２のそれぞれに整列している。なお、ここでは、第１方向Ｄ１は液晶パネル１００Ａの画面に向かって行方向（横方向）とし、第２方向Ｄ２は当該画面に向かって列方向（縦方向）とする。【００２０】
第１方向Ｄ１には、白（Ｗ）、赤（Ｒ）、緑（Ｇ）および青（Ｂ）のサブピクセル１０３がこの順序で繰り返し並んでおり、すなわち上記４色を１単位として各色のサブピクセル１０３が繰り返し並んでいる。【００２１】
そして、第２方向Ｄ２には同じ色のサブピクセル１０３が並んでいる。なお、第１方向Ｄ１に連続して並ぶ４色のサブピクセル１０３がカラー表示のための１単位である画素１０４を構成し、図２では説明のために１つの画素１０４を太線で囲んで図示している。【００２２】
ここで、図３に液晶パネル１００Ａの平面図（レイアウト図）を示し、図３中の４−４線における断面図を図４に示す。液晶パネル１００Ａは、ＴＦＴ（Thin  Film  Transistor）基板１１０と、当該ＴＦＴ基板１１０に対向配置された対向基板１３０と、両基板１１０，１３０間に封入された液晶１５０とを含んでいる。【００２３】
なお、「ＴＦＴ基板」は、ＴＦＴアレイ基板、アレイ基板、アクティブ基板、マトリクス基板、アクティブマトリクス基板等とも呼ばれる。【００２４】
ＴＦＴ基板１１０は、透明絶縁基板１１１と、当該基板１１１上に配置された回路層と、当該回路層上に配置された配向膜１１９とを含んでいる。【００２５】
上記回路層は、信号線１１２と、走査線１１３と、スイッチング素子としてのＴＦＴ１１４（半導体層１１４Ａおよびドレイン電極１１４Ｄを含む）と、サブピクセル電極１１６と、補助容量線１１７と、これらの要素１１２，１１３，１１４Ａ，１１４Ｄ，１１６，１１７を所定の回路を成すように絶縁する絶縁層１１８とを含んでいる。【００２６】
なお、図３では、図面を見やすくするために、サブピクセル電極１１６を破線で図示している。「サブピクセル電極」は画素電極等とも呼ばれる。【００２７】
詳細には、各信号線１１２は表示領域１０１内において第２方向Ｄ２に延在し、これら複数の信号線１１２が表示領域１０１内において第１方向Ｄ１に配列されている。また、これらの信号線１１２と交差（立体交差）するように複数の走査線１１３が設けられている。【００２８】
すなわち、各走査線１１３は表示領域１０１内において第１方向Ｄ１に延在し、これらの走査線１１３が表示領域１０１内において第２方向２に配列されている。信号線１１２と走査線１１３との各交差部分にはＴＦＴ１１４が設けられている。【００２９】
上記交差部分付近において、信号線１１２の突出部がＴＦＴ１１４のソース電極を成し、走査線１１３の突出部がＴＦＴ１１４のゲート電極を成す。また、当該ゲート電極に対向するように半導体層１１４Ａが配置されており、絶縁層１１８のうちで半導体層１１４Ａとゲート電極と間の部分がゲート絶縁膜を成す。【００３０】
半導体層１１４Ａにはソース電極を成す信号線１１２の突出部とＴＦＴ１１４のドレイン電極１１４Ｄとが電気的に接続されている。なお、平面視においてソース電極とドレイン電極１１４Ｄとの間には上記ゲート電極が位置している。【００３１】
そして、ドレイン電極１１４Ｄは、走査線１１３間に配置され第１方向Ｄ１に延在した補助容量線１１７に対向するように設けられているとともに、絶縁層１１８のスルーホール１１８ａを介してサブピクセル電極１１６に接続されている。【００３２】
サブピクセル電極１１６は、信号線１１２と走査線１１３とで区画された領域内に配置されており、このとき信号線１１２および走査線１１３に近接している。サブピクセル電極１１６は絶縁層１１８上に配置されており、サブピクセル電極１１６に被さるように配向膜１１９が絶縁層１１８上に配置されている。【００３３】
他方、対向基板１３０は、透明絶縁基板１３１と、カラーフィルタ１４６と、遮光層１４０と、透明電極１３６と、配向膜１３９とを含んでいる。なお、カラーフィルタを有する対向基板は、カラーフィルタ基板等とも呼ばれる。【００３４】
カラーフィルタ１４６は透明絶縁基板１３１上に、上述のＴＦＴ基板１１０のサブピクセル電極１１６に対向するように配置されており、このカラーフィルタ１４６の色によってそのサブピクセル１０３の表示色が決まる。【００３５】
すなわち、カラーフィルタ１４６がバックライト装置３００（図１参照）からのバックライトを着色することによって、白（Ｗ）、赤（Ｒ）、緑（Ｇ）および青（Ｂ）の表示色が得られる。なお、バックライトの色が表示色としての白（Ｗ）と同じ場合、白（Ｗ）のサブピクセル１０３についてはカラーフィルタ１４６を設けなくてもかまわない。【００３６】
表示領域１０１内においては隣接するカラーフィルタ１４６間を通るように、換言すればＴＦＴ基板１１０の信号線１１２および走査線１１３に対向するように（重なるように）、網目状に遮光層１４０が設けられている。【００３７】
なお、図３では、図面を見やすくするために、遮光層１４０にハッチングを施している。遮光層１４０は、ＴＦＴ１１４にも重なるような形状をしており、また、非表示領域１０２においては表示領域１０１を囲む額縁状の部分（図示せず）を有している。【００３８】
そして、カラーフィルタ１４６および遮光層１４０に被さるように透明電極１３６が配置されており、当該電極１３６は表示領域１０１全体に広がっている。透明電極１３６上には配向膜１３９が配置されている。【００３９】
ＴＦＴ基板１１０と対向基板１３０とは配向膜１１９，１３９が向き合うように配置されており、両基板１１０，１３０間のすき間に液晶１５０が封入されている。なお、両基板１１０，１３０の外表面上に不図示の偏光板が配置される。このような液晶パネル１００Ａに対して、ＴＦＴ基板１１０の側にバックライトが照射されるように、バックライト装置３００（図１参照）が配置される。【００４０】
なお、図３および図４に例示した構造はあくまでも一例であり、ＴＦＴ１１４の代わりＭＩＭ（Metal  Insulator  Metal）素子等の他のスイッチング素子を用いてもよいし、カラーフィルタ１４６をＴＦＴ基板１１０側に設けてもよい（いわゆるカラーフィルタ・オン・ＴＦＴ基板）。【００４１】
このような液晶パネル１００Ａにおいて、サブピクセル１０３は、サブピクセル電極１１６と、ＴＦＴ１１４と、カラーフィルタ１４６と、透明電極１３６のうちでサブピクセル電極１１６に対向する部分とを含んで構成される。【００４２】
このとき、図５に示すように、サブピクセル電極１１６は、第１方向Ｄ１において信号線１１２と交互に配列され、第２方向Ｄ２において走査線１１３と交互に配列されている。【００４３】
そして、サブピクセル電極１１６はＴＦＴ１１４を介して近接の（図５では左側の）信号線１１２に接続されており、ＴＦＴ１１４のゲートは近接の（図５では下側の）走査線１１３に接続されている。かかる接続形態により、サブピクセル１０３は信号線１１２および走査線１１３に接続されている。【００４４】
このとき、１本の信号線１１２には第２方向Ｄ２に並んだ複数のサブピクセル１０３が接続されており、１本の走査線１１３には第１方向Ｄ１に並んだ複数のサブピクセル１０３が接続されている。なお、サブピクセル電極１１６、信号線１１２および走査線１１３のこのような接続形態を図２では簡略的に図示しており、同様の図示方法を後述の図面においても用いることにする。【００４５】
図２および図５に示すように、液晶パネル１００Ａでは、信号線１１２および走査線１１３は表示領域１０１内での配列順序を保ったまま非表示領域１０２へさらに延在している。各信号線１１２および各走査線１１３の非表示領域１０２内での端部は液晶パネル１００Ａでの入力端を成し、各入力端は配線を介して駆動装置２００に接続されている。【００４６】
図５に示すように、駆動装置２００は、ソースドライバ２１０Ａと、ゲートドライバ２２０と、制御部２３０と、データ並び替え部２４０と、４／３逓倍器（図中では「４／３倍」と表記している）２５０とを含んでいる。【００４７】
ソースドライバ２１０Ａは各信号線１１２へ印加する駆動信号Ｓ１２を出力する装置であり、並列に設けられた複数の個別ドライバ２１２を含んでいる。個別ドライバ２１２は番号付けまたは順番付けされており、図面では個別ドライバ２１２をその番号順に並べて図示しており、ここでは図面左側から１番，２番，…と採番するものとする。【００４８】
個別ドライバ２１２の出力端は上記配線を介して液晶パネル１００Ａの信号線１１２に接続されており、これにより個別ドライバ２１２から出力される駆動信号Ｓ１２が信号線１１２へ印加される。なお、個別ドライバ２１２と信号線１１２とが１対１で対応する。駆動信号Ｓ１２の出力タイミング等は制御部２３０から出力されるソースドライバ制御信号ＳＳによって制御される。【００４９】
ゲートドライバ２２０は各走査線１１３へ印加する走査信号Ｓ１３を出力する装置であり、上記配線を介して液晶パネル１００Ａの走査線１１３に接続されている。これにより、ゲートドライバ２２０からの走査信号Ｓ１３が走査線１１３へ印加される。なお、走査信号Ｓ１３の出力タイミング等は制御部２３０から出力されるゲートドライバ制御信号ＳＧによって制御される。【００５０】
ここで、図６に制御部２３０のより具体的なブロック図を示す。図６に示すように、制御部２３０はＷデータ生成部２３１およびタイミングコントロール部２３２を含んでいる。【００５１】
Ｗデータ生成部２３１は、表示画像の赤（Ｒ）、緑（Ｇ）および青（Ｂ）のデータｒ０，ｇ０，ｂ０ならびにクロック信号（第１クロック）ＣＫ１を取得し、これらの３色のデータｒ０，ｇ０，ｂ０から白（Ｗ）の階調データ（階調データ列）Ｗ０を生成して出力する。【００５２】
また、Ｗデータ生成部２３１は、上記３色のデータｒ０，ｇ０，ｂ０を液晶パネル１００Ａのカラー表示特性に適するように赤（Ｒ）、緑（Ｇ）および青（Ｂ）の階調データ（階調データ列）Ｒ０，Ｇ０，Ｂ０に変換して出力する。【００５３】
他方、タイミングコントロール部２３２は同期信号およびクロック信号ＣＫ１を取得し、同期信号を基にしてソースドライバ２１０Ａ用の制御信号ＳＳおよびゲートドライバ２２０用の制御信号ＳＧを生成して出力する。【００５４】
また、タイミングコントロール部２３２は、Ｗデータ生成部２３１用およびデータ並び替え部２４０用の制御信号Ｓ２３１，Ｓ２４０（動作の開始および終了等を示すトリガ信号）を生成して出力する。【００５５】
そして、データ並び替え部２４０は、データ（データ列）Ｒ０，Ｇ０，Ｂ０，Ｗ０、クロック信号ＣＫ１および制御信号Ｓ２４０を取得し、データＲ０，Ｇ０，Ｂ０，Ｗ０をソースドライバ２１０Ａの入力形態に対応したデータ（データ列）Ｘ，Ｙ，Ｚに並べ替えてソースドライバ２１０Ａへ出力する。【００５６】
このとき、データ並び替え部２４０は、４／３逓倍器２５０によって上記クロック信号ＣＫ１の周波数が４／３倍されたクロック信号（第２クロック）ＣＫ２を取得し、当該クロック信号ＣＫ２に基づいてデータＸ，Ｙ，Ｚを生成し出力する。【００５７】
そして、ソースドライバ２１０ＡはデータＸ，Ｙ，Ｚを順次受信していき、全ての信号線１１２用のデータＸ，Ｙ，Ｚ（換言すればデータＲ０，Ｇ０，Ｂ０，Ｗ０）がそろったならば、ゲートドライバ２２０による走査線１１３の選択タイミングに同期させて全ての信号線１１２へそれぞれの駆動信号Ｓ１２を同時に印加する。【００５８】
ここで、図７および図８を参照して、表示装置１０Ａにおけるデータ並び替え部２４０の処理をより具体的に説明する。なお、図７において個別ドライバ２１２中に示すように、個別ドライバ２１２は上述の番号が若い順に（図面においては左から順に）階調データＸ１，Ｙ１，Ｚ１，Ｘ２，Ｙ２，Ｚ２，Ｘ３，Ｙ３，Ｚ３，Ｘ４，Ｙ４，Ｚ４，Ｘ５，Ｙ５，Ｚ５，Ｘ６を受信するものとする。【００５９】
ここで、階調データＸ１，Ｘ２，Ｘ３，Ｘ４，Ｘ５，Ｘ６はデータ列Ｘ中の１番目〜６番目のデータであり、階調データＹ１，Ｙ２，Ｙ３，Ｙ４，Ｙ５はデータ列Ｙ中の１番目〜５番目のデータであり、階調データＺ１，Ｚ２，Ｚ３，Ｚ４，Ｚ５はデータ列Ｚ中の１番目〜５番目のデータである。【００６０】
上述のようにデータ並び替え部２４０は階調データ（データ列）Ｗ０，Ｒ０，Ｇ０，Ｂ０およびクロック信号（第１クロック）ＣＫ１を受信する。【００６１】
このとき、図８に示すように、階調データ列Ｗ０はクロック信号ＣＫ１の立ち上がりに同期した階調データＷ１，Ｗ２，Ｗ３，…から成るデータ列であり、これらの階調データＷ１，Ｗ２，Ｗ３，…は液晶パネル１００Ａの各行における（ここでは左から）１番目，２番目，３番目，…の白（Ｗ）のサブピクセル１０３の階調に関するデータである。【００６２】
また、階調データ列Ｒ０，Ｇ０，Ｂ０は赤（Ｒ）、緑（Ｇ）および青（Ｂ）のサブピクセル１０３の階調に関するデータ列であり、階調データ列Ｒ０，Ｇ０，Ｂ０のデータ構造は上述の階調データ列Ｗ０と同様である。【００６３】
なお、４つの階調データＷ１，Ｒ１，Ｇ１，Ｂ１等で１画素１０４分の表示データを成す。これら色ごとの階調データ列Ｗ０，Ｒ０，Ｇ０，Ｂ０は、制御部２３０から、クロック信号ＣＫ１に同期して並列に送信されてくる。このため、データ並び替え部２４０は、４つのデータ列Ｗ０，Ｒ０，Ｇ０，Ｂ０から成る並列データ列（第１並列データ列）ＤＡ１を受信することになる。【００６４】
受信後、データ並び替え部２４０は並列データ列ＤＡ１を、クロック信号ＣＫ１に同期して当該クロック信号ＣＫ１の１サイクル分および２サイクル分遅延させて、２つの並列データ列（第２並列データ列）ＤＡ２＿Ｌ，ＤＡ２＿２Ｌを生成する。【００６５】
ここで、並列データ列ＤＡ２＿Ｌはデータ列Ｗ０，Ｒ０，Ｇ０，Ｂ０を１サイクル分遅延させたデータ列Ｗ０＿Ｌ，Ｒ０＿Ｌ，Ｇ０＿Ｌ，Ｂ０＿Ｌから成り、並列データ列ＤＡ２＿２Ｌはデータ列Ｗ０，Ｒ０，Ｇ０，Ｂ０を２サイクル分遅延させたデータ列Ｗ０＿２Ｌ，Ｒ０＿２Ｌ，Ｇ０＿２Ｌ，Ｂ０＿２Ｌから成る。なお、かかる遅延は例えばラッチ回路によって可能である。【００６６】
そして、データ並び替え部２４０は、２つの並列データ列ＤＡ２＿Ｌ，ＤＡ２＿２Ｌ中から、３個のデータを並列にサンプリングしていく。このとき、当該サンプリングは、上記クロック信号ＣＫ１の４／３倍の周波数を有するクロック信号（第２クロック）ＣＫ２の立ち上がりに同期して行う。さらに、当該サンプリングは、表示領域１０１内での第１方向Ｄ１における色の配列順に従って行う。【００６７】
具体的には、図８に示すように、２つの並列データ列ＤＡ２＿Ｌ，ＤＡ２＿２Ｌ中から、まず、３個のデータＷ１，Ｒ１，Ｇ１（図中、分かりやすくするためにハッチングを施している。以下も同様）をサンプリングする。【００６８】
このサンプリングした階調データＷ１，Ｒ１，Ｇ１は、液晶パネル１００Ａの各行における（左から）１番目に配列された白（Ｗ）のサブピクセル１０３の階調データ、２番目に配列された赤（Ｒ）のサブピクセル１０３の階調データおよび３番目に配列された緑（Ｇ）のサブピクセル１０３の階調データである（図７参照）。【００６９】
つまり、表示領域１０１内での第１方向Ｄ１における色の配列順に従って３個のデータＷ１，Ｒ１，Ｇ１をサンプリングしたことになる。【００７０】
その後、図８に示すように、クロック信号ＣＫ２の次の立ち上がりで、３個のデータＢ１，Ｗ２，Ｒ２をサンプリングする。このサンプリングした階調データＢ１，Ｗ２，Ｒ２は、液晶パネル１００Ａの各行における４番目ないし６番目に配列された青（Ｂ）、白（Ｗ）および赤（Ｒ）のサブピクセル１０３の階調データである（図７参照）。【００７１】
つまり、先にサンプリングしたデータＷ１，Ｒ１，Ｇ１に続いて、表示領域１０１内での第１方向Ｄ１における色の配列順に従って次の３個のデータＷ１，Ｒ１，Ｇ１をサンプリングしたことになる。以下同様にして、サンプリングする。なお、かかるサンプリングは例えば論理回路やいわゆるマイクロプロセッサによって可能である。【００７２】
また、データ並べ替え部２４０は、順次サンプリングしたデータから、３個のデータ列ＸＳ，ＹＳ，ＺＳから成る並列データ列（第３並列データ列）ＤＡ３を生成する。具体的には、順次にサンプリングしたデータＷ１，Ｂ１，Ｇ２，Ｒ３，Ｗ４，Ｂ４，…を直列に並べてデータ列ＸＳを生成し、順次にサンプリングしたデータＲ１，Ｗ２，Ｂ２，Ｇ３，Ｒ４，…を直列に並べてデータ列ＹＳを生成し、順次にサンプリングしたデータＧ１，Ｒ２，Ｗ３，Ｂ３，Ｇ４，…を直列に並べてデータ列ＺＳを生成する。【００７３】
なお、データ列ＸＳを成すデータＷ１，Ｂ１，Ｇ２，Ｒ３，Ｗ４，Ｂ４，…は第１方向Ｄ１に３個置きに並ぶサブピクセル１０３の階調データであり、データ列ＹＳを成すデータＲ１等およびデータ列ＺＳを成すデータＧ１等も同様のデータ構造を成している。そして、データ並び替え部２４０は、３つのデータ列ＸＳ，ＹＳ，ＺＳを、上述の階調データＸ，Ｙ，Ｚとして出力する。【００７４】
そして、ソースドライバ２１０Ａは、受信したデータ列ＸＳ，ＹＳ，ＺＳに基づいて駆動信号Ｓ１２を生成する。このとき、ソースドライバ２１０Ａは、データ列ＸＳ（すなわちデータ列Ｘ）中の階調データＷ１，Ｂ１，Ｇ２，Ｒ３，Ｗ４，Ｂ４を先頭から階調データＸ１，Ｘ２，Ｘ３，Ｘ４，Ｘ５，Ｘ６として受信し、１番目、４番目、７番目、１０番目、１３番目および１６番目の個別ドライバ２１２へそれぞれ供給する（図７および図８参照）。【００７５】
同様に、ソースドライバ２１０Ａは、データ列ＹＳ（すなわちデータ列Ｙ）中の階調データＲ１，Ｗ２，Ｂ２，Ｇ３，Ｒ４を先頭から階調データＹ１，Ｙ２，Ｙ３，Ｙ４，Ｙ５として受信し、２番目、５番目、８番目、１１番目および１４番目の個別ドライバ２１２へそれぞれ供給する。【００７６】
同様に、ソースドライバ２１０Ａは、データ列ＺＳ（すなわちデータ列Ｚ）中の階調データＧ１，Ｒ２，Ｗ３，Ｂ３，Ｇ４を先頭から階調データＺ１，Ｚ２，Ｚ３，Ｚ４，Ｚ５として受信し、３番目、６番目、９番目、１２番目および１５番目の個別ドライバ２１２へそれぞれ供給する。【００７７】
このように、データ並び替え部２４０は、４つのデータ列Ｗ０，Ｒ０，Ｇ０，Ｂ０中のデータを上述のサンプリングによって並べ替えて３つのデータ列ＸＳ，ＹＳ，ＺＳを生成する。【００７８】
つまり、この並び替えによって、データ並び替え部２４０は、入力されたデータ列の数を減らして出力するのである。このとき、上述のように３つのデータ列Ｘ，Ｙ，Ｚへ変換することによって、ソースドライバ２１０Ａとして、一般的な３入力（ＲＧＢ入力）のソースドライバ、すなわち３色で構成される液晶パネル（図３０の液晶パネル１００Ｚ１を参照）用の汎用のソースドライバを利用することができる。【００７９】
つまり、３色の液晶パネル用の汎用のソースドライバによって、４色で構成される液晶パネル１００Ａを駆動することができる。そのような汎用ドライバによれば、ソースドライバ２１０Ａおよび表示装置１０Ａのコストを削減することができる。【００８０】
個別ドライバ２１２は、上述のようにして受信した階調データＸ１，Ｙ１，Ｚ１等を“＋（プラスまたは正）”の駆動信号Ｓ１２と“−（マイナスまたは負）”の駆動信号Ｓ１２とのいずれかとして出力し、かかる極性の選択は個別ドライバ２１２によって制御される。【００８１】
なお、“＋”の駆動信号Ｓ１２を「第１信号」と呼ぶ場合、これとは逆極性の“−”の駆動信号Ｓ１２が「第２信号」にあたり、逆に“−”の駆動信号Ｓ１２を「第１信号」と呼ぶ場合“＋”の駆動信号Ｓ１２が「第２信号」にあたる。【００８２】
駆動信号Ｓ１２（換言すれば階調データＲ０，Ｇ０，Ｂ０，Ｗ０）は、信号線１１２および選択された走査線１１３に繋がるＴＦＴ１１４を介してサブピクセル電極１１６へ印加され、これによりサブピクセル１０３に供給される。サブピクセル電極１１６には、階調データＲ０，Ｇ０，Ｂ０またはＷ０に応じた大きさおよび“＋”極性または“−”極性を有する電圧（電位）が供給され、当該電圧を次の信号印加まで保持する。【００８３】
このため、サブピクセル電極１１６に印加された電圧の極性をもってサブピクセル１０３の極性を表現することにする。例えば“＋”のサブピクセル１０３とはそれのサブピクセル電極１１６の極性が“＋”であることを意味する。なお、駆動信号Ｓ１２、サブピクセル電極１１６およびサブピクセル１０３の極性は対向電極１３６の電位を基準にして規定される。【００８４】
ここで、各信号線１１２へ印加する駆動信号Ｓ１２の上述の極性を、図９および図１０の模式図を参照して説明する。なお、図１０は赤（Ｒ）のみを表示させた場合を図示している。図中、各サブピクセル１０３中の左上に表示色（白（Ｗ）、赤（Ｒ）、緑（Ｇ）および青（Ｂ））の別を記し、同右下に極性の別を例示している。ここでは、説明を分かりやすくするため、サブピクセル１０３が６行１６列、信号線１１２が１６本、個別ドライバ２１２が１６個の場合を例示する。【００８５】
この場合、信号線１１２を表示領域１０１内で連続する４本ごとに信号線群１１２Ａに区分すると、各信号線群１１２Ａ内の１番目（ここでは図面左から１番目）の信号線１１２には白（Ｗ）のサブピクセル１０３が接続されており、同様に、各信号線群１１２Ａ内の２番目ないし４番目の信号線１１２には赤（Ｒ）、緑（Ｇ）および青（Ｂ）のサブピクセル１０３がそれぞれ接続されている。なお、かかる接続形態は液晶パネル１００Ａでは各行について同様である。【００８６】
同様に、個別ドライバ２１２を連続する４個（すなわち信号線群１１２Ａに属する信号線１１２と同数）ごとに個別ドライバ群２１２Ａに区分すると、個別ドライバ群２１２Ａと信号線群１１２Ａとが１対１で対応する。【００８７】
このとき、上述のように液晶パネル１００Ａでは信号線１１２は表示領域１０１内での配列順序を保ったまま非表示領域１０２へさらに延在しているので、１番目（ここでは図面左から１番目）の個別ドライバ２１２は、上記配線を介して、非表示領域１０２内で１番目に配列された信号線１１２に非表示領域１０２内において接続され、この信号線１１２は表示領域１０１内でも１番目に配列されている。【００８８】
このため、各個別ドライバ群２１２Ａ内の１番目の個別ドライバ２１２は白（Ｗ）のサブピクセル１０３用の駆動信号Ｓ１２を出力する。同様に、各個別ドライバ群２１２Ａ内の２番目ないし４番目の個別ドライバ２１２は、非表示領域１０２内および表示領域１０１内で１番目に配列された信号線１１２に接続され、赤（Ｒ）、緑（Ｇ）および青（Ｂ）のサブピクセル１０３用の駆動信号Ｓ１２をそれぞれ出力する。【００８９】
なお、図中、各個別ドライバ２１２中の左上に出力する駆動信号Ｓ１２がいずれの色用であるかを記し、同右下に出力する駆動信号Ｓ１２の極性の別を例示している。【００９０】
図９に例示するように、ソースドライバ２１０Ａは、１番目および３番目すなわち奇数番目の個別ドライバ群２１２Ａの１番目の個別ドライバ２１２が“−”（または“＋”）の駆動信号Ｓ１２を出力するときには、２番目および４番目すなわち偶数番目の個別ドライバ群２１２Ａの１番目の個別ドライバ２１２は“＋”（または“−”）の駆動信号Ｓ１２を出力するように構成されている。【００９１】
さらに、ソースドライバ２１０Ａは、各個別ドライバ群２１２Ａ内において隣接する２つの個別ドライバ２１２は互いに逆極性の駆動信号Ｓ１２をそれぞれ出力するように構成されている。【００９２】
なお、上述のように個別ドライバ２１２は番号付けされている点、また図面では個別ドライバ２１２をその番号順に並べて図示している点にかんがみ、付与された番号（順番）が連続する個別ドライバ２１２を「隣接する個別ドライバ２１２」のように表現することにする。【００９３】
したがって、表示装置１０Ａでは、奇数番目の信号線群１１２Ａにおいて表示領域１０１内でｓ番目（ｓは１以上４以下の自然数）に配列された信号線１１２へ“＋”（または“−”）の駆動信号Ｓ１２が印加されるときには、偶数番目の信号線群１１２Ａにおいて表示領域１０１内で上記ｓ番目に配列された信号線１１２へは“−”（または“＋”）の駆動信号Ｓ１２が印加される。【００９４】
さらに、表示装置１０Ａでは、各信号線群１１２Ａ内において隣接する信号線１１２へ互いに逆極性の駆動信号Ｓ１２がそれぞれ印加される。【００９５】
その結果、表示装置１０Ａおよび当該表示装置１０Ａにおける液晶パネル１００Ａの駆動方法によれば、第１方向Ｄ１に並んだ同色のサブピクセル１０３の極性を、奇数番目の信号線群１１２Ａに接続されたサブピクセル１０３と、偶数番目の信号線群１１２Ａに接続されたサブピクセル１０３と、で違えることができる。【００９６】
なお、上述の例では偶数番目の信号線群１１２Ａと奇数番目の信号線群１１２Ａとが同数なので、同色のサブピクセル１０３について“＋”のサブピクセル１０３と“−”のサブピクセル１０３とが第１方向Ｄ１に１：１の割合で混在（分散）する。このように第１方向Ｄ１すなわち横方向に並んだ同色のサブピクセル１０３の全てが同じ極性を有さないようにすることができるので、横シャドー（横クロストーク）を低減することができる。【００９７】
なお、図９の例では各信号線群１１２Ａに接続された６行４列のサブピクセル１０３がいわゆるドット反転駆動されるように、各個別ドライバ２１２は“＋”と“−”の駆動信号Ｓ１２を交互に出力するように構成されている。また、図９に例示した駆動信号Ｓ１２およびサブピクセル１０３の極性を反転させても上述の説明は妥当である。【００９８】
ここで、図１１の模式図に示すように表示領域１０１内で連続する８本ごとに信号線群１１２Ａを規定しかつ連続する８個ごとに個別ドライバ群２１２Ａを規定して上述の構成を適用してもよく、さらにはサブピクセル１０３の色の数（ここでは４）の自然数倍の本数ごとに信号線群１１２Ａおよび個別ドライバ群２１２Ａを規定して上述の構成を適用してもよく、かかる場合にも上述の効果が得られる。【００９９】
なお、４本ごとに信号線群１１２Ａを規定した場合、すなわちサブピクセル１０３の色の数と各信号線群１１２Ａ内の信号線１１２の本数が等しい場合、信号線群１１２Ａの数が最大になるので、極性が逆の同色サブピクセル１０３を第１方向Ｄ１すなわち横方向に最も分散させることができる。このため、上述の横シャドー低減効果が顕著になる。【０１００】
次に、図１２および図１３に実施形態２に係る表示装置１０Ｂを説明するための模式図を示す。なお、図１３は赤（Ｒ）のみを表示させた場合を図示している。図１２および図１３に示すように、表示装置１０Ｂは、上述の表示装置１０において液晶パネル１００Ａおよびソースドライバ２１０Ａを液晶パネル１００Ｂおよびソースドライバ２１０Ｂに変えた構成を有している。なお、表示装置１０Ｂのその他の構成は基本的に表示装置１０Ａと同様である。【０１０１】
まず、液晶パネル１００Ｂは、非表示領域１０２内での信号線１１２の配列において上述の液晶パネル１００Ａ（図９参照）と異なり、その他の構成については液晶パネル１００Ａと基本的に同様である。【０１０２】
なお、ここでは液晶パネル１００Ｂにおいて、信号線１１２を表示領域１０１内で連続する４本ごとに信号線群１１２Ａに区分する場合を例示する。この場合、２番目および４番目すなわち偶数番目の信号線群１１２Ａのそれぞれについて、表示領域１０１内で１番目に配列されている信号線１１２が非表示領域１０２内では２番目に配列されているとともに、表示領域１０１内で２番目に配列されている信号線１１２が非表示領域１０２内では１番目に配列されている。【０１０３】
同様に、表示領域１０１内で３番目および４番目に配列されている信号線１１２は非表示領域１０２内では配列順序が逆転している。換言すれば、表示領域１０１内で１番目および２番目の信号線１１２を１対として捉えたとき、この１対の信号線１１２は非表示領域１０２へさらに延在しているが当該非表示領域１０２内において配列順序が逆転している。【０１０４】
同様に、表示領域１０１内で３番目および４番目に配列された１対の信号線１１２は非表示領域１０２内で配列順序が逆転している。なお、このとき、各対ごとに（各対内で）配列順序が逆転している。【０１０５】
このような配列順序の逆転は非表示領域１０２内（したがって液晶パネル１００Ｂ内）において信号線１１２を絶縁層１１８（図４参照）内で交差（立体交差）させることにより可能である。なお、液晶パネル１００Ｂを「クロス配線型」と表現し、液晶パネル１００Ａを「ストレート配線型」と表現することにする。【０１０６】
非表示領域１０２内で１番目に配列された信号線１１２の端部は、配線を介して、ソースドライバ２１０Ｂの１番目の個別ドライバ２１２に接続されており、以下同様に、非表示領域１０２内で２番目ないし１６番目に配列された信号線１１２の端部は、ソースドライバ２１０Ｂの２番目ないし１６番目の個別ドライバ２１２にそれぞれ接続されている。【０１０７】
ソースドライバ２１０Ｂの個別ドライバ２１２は、駆動信号Ｓ１２の極性および対応の表示色について、上述のソースドライバ２１０Ａとは異なる。詳細には、ソースドライバ２１０Ｂは、奇数番目の個別ドライバ２１２が“−”（または“＋”）の駆動信号Ｓ１２を出力するときには、偶数番目の個別ドライバ２１２は“＋”（または“−”）の駆動信号Ｓ１２を出力するように構成されている。【０１０８】
すなわち、個別ドライバ群２１２Ａの区分にかかわらず、隣接する２つの個別ドライバ２１２は互いに逆極性の駆動信号Ｓ１２をそれぞれ出力するように構成されている。【０１０９】
さらに、上述のように偶数番目の信号線群１１２Ａでは信号線１１２の配列が逆転しているので、かかる配列逆転に対応して、偶数番目の個別ドライバ群２１２Ａでは１番目ないし４番目の個別ドライバ２１２は赤（Ｒ）、白（Ｗ）、青（Ｂ）および緑（Ｇ）のサブピクセル１０３用の駆動信号Ｓ１２をそれぞれ出力する。なお、奇数番目の個別ドライバ群２１２Ａについては上述のソースドライバ２１０Ａの場合と基本的に同様である。【０１１０】
上述のように、信号線１１２の配列の逆転に起因して、偶数番目の個別ドライバ群２１２Ａでは各個別ドライバ２１２が担当するサブピクセル１０３の色が、既述のソースドライバ２１０Ａ（図９参照）とは異なる。【０１１１】
このため、表示装置１０Ｂのデータ並べ替え部２４０では、ソースドライバ２１０Ｂおよび液晶パネル１００Ｂに対応した処理が行われる。そこで、図１４および図１５ならびに既述の図５および図６を参照して、表示装置１０Ｂにおけるデータ並び替え部２４０の処理を説明する。【０１１２】
なお、図１４では、図７と同様に、各個別ドライバ２１２中に、受信する階調データＸ１，Ｙ１，Ｚ１等を記している。【０１１３】
データ並び替え部２４０は、４つのデータ列Ｗ０，Ｒ０，Ｇ０，Ｂ０から成る並列データ列（第１並列データ列）ＤＡ１を受信し、まず、表示装置１０Ａの場合と同様にして（図８参照）、３つの階調データ列ＸＳ，ＹＳ，ＺＳから成る並列データ列（第３並列データ列）ＤＡ３を生成する（図１５参照）。【０１１４】
そして、データ並び替え部２４０は、並列データ列ＤＡ３を、クロック信号ＣＫ２に同期して当該クロック信号ＣＫ２の１サイクル分ないし３サイクル分遅延させて、３つの並列データ列（第４並列データ列）ＤＡ４＿Ｌ，ＤＡ４＿２Ｌ，ＤＡ４＿３Ｌを生成する。【０１１５】
ここで、並列データ列ＤＡ４＿Ｌはデータ列ＸＳ，ＹＳ，ＺＳを１サイクル分遅延させたデータ列ＸＳ＿Ｌ，ＹＳ＿Ｌ，ＺＳ＿Ｌから成り、並列データ列ＤＡ４＿２Ｌはデータ列ＸＳ，ＹＳ，ＺＳを２サイクル分遅延させたデータ列ＸＳ＿２Ｌ，ＹＳ＿２Ｌ，ＺＳ＿２Ｌから成り、並列データ列ＤＡ４＿３Ｌはデータ列ＸＳ，ＹＳ，ＺＳを３サイクル分遅延させたデータ列ＸＳ＿３Ｌ，ＹＳ＿３Ｌ，ＺＳ＿３Ｌから成る。なお、かかる遅延は例えばラッチ回路によって可能である。【０１１６】
そして、データ並び替え部２４０は、３つの並列データ列ＤＡ４＿Ｌ，ＤＡ４＿２Ｌ，ＤＡ４＿３Ｌ中から、３個のデータを並列にサンプリングしていく。このとき、当該サンプリングはクロック信号ＣＫ２の立ち上がりに同期して行う。さらに、当該サンプリングは、非表示領域１０２内における信号線１１２の配列順および各信号線１１２に接続されたサブピクセル１０３の色に従って行う。【０１１７】
具体的には、図１５に示すように、３つの並列データ列ＤＡ４＿Ｌ，ＤＡ４＿２Ｌ，ＤＡ４＿３Ｌ中から、まず、３個のデータＷ１，Ｒ１，Ｇ１（図中、分かりやすくするためにハッチングを施している。以下も同様）をサンプリングする。【０１１８】
このサンプリングした階調データＷ１，Ｒ１，Ｇ１は、非表示領域１０２内の（左から）１番目の信号線１１２に接続された白（Ｗ）のサブピクセル１０３の階調データ、非表示領域１０２内の２番目の信号線１１２に接続された赤（Ｒ）のサブピクセル１０３の階調データ、非表示領域１０２内の３番目の信号線１１２に接続された緑（Ｇ）のサブピクセル１０３の階調データである（図１４参照）。【０１１９】
つまり、非表示領域１０２内における信号線１１２の配列順および各信号線１１２に接続されたサブピクセル１０３の色に従って３個のデータＷ１，Ｒ１，Ｇ１をサンプリングしたことになる。【０１２０】
その後、図１５に示すように、クロック信号ＣＫ２の次の立ち上がりで、３個のデータＢ１，Ｒ２，Ｗ２をサンプリングする。このサンプリングした階調データＢ１，Ｒ２，Ｗ２は、非表示領域１０２内の４番目の信号線１１２に接続された青（Ｂ）のサブピクセル１０３の階調データ、非表示領域１０２内の５番目の信号線１１２に接続された赤（Ｒ）のサブピクセル１０３の階調データ、非表示領域１０２内の６番目の信号線１１２に接続された白（Ｗ）のサブピクセル１０３の階調データである（図１４参照）。【０１２１】
つまり、先にサンプリングしたデータＷ１，Ｒ１，Ｇ１に続いて、非表示領域１０２内における信号線１１２の配列順および各信号線１１２に接続されたサブピクセル１０３の色に従って、次の３個のデータＢ１，Ｒ２，Ｗ２をサンプリングしたことになる。【０１２２】
さらに、クロック信号ＣＫ２の続く立ち上がりで、次の３個のデータＢ２，Ｇ２，Ｗ３をサンプリングする。このサンプリングした階調データＢ２，Ｇ２，Ｗ３は、非表示領域１０２内の７番目の信号線１１２に接続された青（Ｂ）のサブピクセル１０３の階調データ、非表示領域１０２内の８番目の信号線１１２に接続された緑（Ｇ）のサブピクセル１０３の階調データ、非表示領域１０２内の９番目の信号線１１２に接続された白（Ｗ）のサブピクセル１０３の階調データである（図１４参照）。以下同様にして、サンプリングする。なお、かかるサンプリングは例えば論理回路やいわゆるマイクロプロセッサによって可能である。【０１２３】
また、データ並べ替え部２４０は、順次サンプリングしたデータから、３個のデータ列ＸＣ，ＹＣ，ＺＣから成る並列データ列（第５並列データ列）ＤＡ５を生成する。具体的には、順次にサンプリングしたデータＷ１，Ｂ１，Ｂ２，Ｒ３，Ｒ４，Ｇ４，…を直列に並べてデータ列ＸＣを生成し、順次にサンプリングしたデータＲ１，Ｒ２，Ｇ２，Ｇ３，Ｗ４，…を直列に並べてデータ列ＹＣを生成し、順次にサンプリングしたデータＧ１，Ｗ２，Ｗ３，Ｂ３，Ｂ４，…を直列に並べてデータ列ＺＣを生成する。【０１２４】
そして、データ並び替え部２４０は、３つのデータ列ＸＣ，ＹＣ，ＺＣを、上述の階調データＸ，Ｙ，Ｚとして出力する。【０１２５】
そして、ソースドライバ２１０Ｂは、受信したデータ列ＸＣ，ＹＣ，ＺＣに基づいて駆動信号Ｓ１２を生成する。このとき、ソースドライバ２１０Ｂは、データ列ＸＣ（すなわちデータ列Ｘ）中の階調データＷ１，Ｂ１，Ｂ２，Ｒ３，Ｒ４，Ｇ４を先頭から階調データＸ１，Ｘ２，Ｘ３，Ｘ４，Ｘ５，Ｘ６として受信し、１番目、４番目、７番目、１０番目、１３番目および１６番目の個別ドライバ２１２へそれぞれ供給する（図１４および図１５参照）。【０１２６】
同様に、ソースドライバ２１０Ｂは、データ列ＹＣ（すなわちデータ列Ｙ）中の階調データＲ１，Ｒ２，Ｇ２，Ｇ３，Ｗ４を先頭から階調データＹ１，Ｙ２，Ｙ３，Ｙ４，Ｙ５として受信し、２番目、５番目、８番目、１１番目および１４番目の個別ドライバ２１２へそれぞれ供給する。【０１２７】
同様に、ソースドライバ２１０Ｂは、データ列ＺＣ（すなわちデータ列Ｚ）中の階調データＧ１，Ｗ２，Ｗ３，Ｂ３，Ｂ４を先頭から階調データＺ１，Ｚ２，Ｚ３，Ｚ４，Ｚ５として受信し、３番目、６番目、９番目、１２番目および１５番目の個別ドライバ２１２へそれぞれ供給する。【０１２８】
表示装置１０Ｂのデータ並び替え部２４０は、このようにして、クロス配線型の液晶パネル１００Ｂに対応したデータ並び替えを行う。【０１２９】
このような構成によれば、奇数番目の信号線群１１２Ａにおいて表示領域１０１内でｓ番目（ｓは１以上４以下の自然数）に配列されている信号線１１２へ“＋”（または“−”）の駆動信号Ｓ１２が印加されるときには、偶数番目の信号線群１１２Ａにおいて表示領域１０１内で上記ｓ番目に配列されている信号線１１２へは“−”（または“＋”）の駆動信号Ｓ１２が印加される。【０１３０】
さらに、各信号線群１１２Ａにおいて表示領域１０１内で隣接する信号線１１２へ互いに逆極性の駆動信号Ｓ１２がそれぞれ印加される。なお、配列順序が逆転している信号線１１２の各対では、対を成す２本の信号線１１２へ“＋”（または“−”）の駆動信号Ｓ１２および“−”（または“＋”）の駆動信号Ｓ１２がそれぞれ印加される。【０１３１】
すなわち、対を成す一方の信号線１１２へ“＋”（または“−”）の駆動信号Ｓ１２が印加されるときには、当該対を成す他方の信号線１１２へ“−”（または“＋”）の駆動信号Ｓ１２が印加される。したがって、表示装置１０Ｂにおいてもサブピクセル１０３の極性を表示装置１０Ａと同様に分布させることができる（図９参照）。その結果、横シャドー（横クロストーク）を低減することができる。【０１３２】
特に、上述のようにデータ並び替え部２４０は４つのデータ列Ｗ０，Ｒ０，Ｇ０，Ｂ０を３つのデータ列Ｘ，Ｙ，Ｚへ変換するので、ソースドライバ２１０Ｂとして汎用の３入力（ＲＧＢ入力）のソースドライバを利用することができる。【０１３３】
また、ソースドライバ２１０Ｂの上述の出力極性は汎用品として一般に供給されているドライバと同様である。したがって、当該汎用ドライバを利用することによって、出力極性について新規に設計・製造が必要となるソースドライバ２１０Ａに比べて、ソースドライバ２１０Ｂのコストを、さらには表示装置１０Ｂのコストを削減することができる。【０１３４】
また、汎用のドライバの利用によって、表示装置１０Ｂを容易に種々の機種へ応用することができる。【０１３５】
なお、上述の説明と違えて、奇数番目の信号線群１１２Ａについて信号線１１２の配列を逆転させるように、表示装置１０Ｂを構成することも可能である。【０１３６】
また、信号線１１２および個別ドライバ２１２を図１６に示すように８個ごとに、さらにはサブピクセル１０３の色の数（ここでは４）の自然数倍の個数ごとに、信号線群１１２Ａおよび個別ドライバ群２１２Ａを規定して上述の構成を適用してもよい。【０１３７】
さて、サブピクセル１０３が電圧（電位）を保持している期間において、サブピクセル電極１０３の電圧実効値は、両側の信号線１１２に印加された駆動信号Ｓ１２の影響を受けて当初入力された値から変化する。【０１３８】
具体的には、図１７（ａ）に示すように、サブピクセル電極１１６は、当該電極１１６が接続された信号線１１２との間で容量Ｃｓｄ１を形成し、当該電極１１６が接続されていない隣の信号線１１２との間で容量Ｃｓｄ２を形成するので、これらの容量Ｃｓｄ１，Ｃｓｄ２を介してサブピクセル電極１１６の電位（換言すればサブピクセル１０３の電位）が変化する。【０１３９】
このとき、ドット反転駆動の場合は、サブピクセル電極１１６の両側の信号線１１２へ印加される駆動信号Ｓ１２は互いに逆極性であるので、両側の信号線１１２から受ける影響はキャンセルされる方向に働く。【０１４０】
これに対して、既述の図９および図１２の表示装置１０Ａ，１０Ｂでは、４番目の列を成すサブピクセル１０３と５番目の列を成すサブピクセル１０３とは極性が同じであり、４番目および５番目の信号線１１２には同じ極性の駆動信号Ｓ１２が印加される。【０１４１】
また、８番目および９番目の信号線１１２、ならびに、１２番目および１３番目の信号線１１２についても同様である。このように同極性の駆動信号Ｓ１２が印加される信号線１１２間に配置されたサブピクセル１０３（のサブピクセル電極１１６）では、両側の信号線１１２からの影響がキャンセルされない。【０１４２】
このため、他のサブピクセル１０３に比べて電圧実効値が低くなり、電圧が低下したサブピクセル１０３は、ノーマリー・ホワイト（Normally  White）方式（電圧無印加時は白表示、電圧印加時に黒表示）の液晶パネルの場合、入力信号よりも明るく表示される。【０１４３】
すなわち、輝度が変化する。このとき、隣接する信号線１１２間には複数のサブピクセル１０３が並んでいるので、第２方向Ｄ２に伸びる明線が観測されることになり、表示品位上好ましくない。【０１４４】
ここで、同極性の駆動信号Ｓ１２が印加される信号線１１２を「同極性の信号線１１２」のように表現し、逆極性の駆動信号Ｓ１２が印加される信号線１１２を「逆極性の信号線１１２」のように表現することにする。【０１４５】
このとき、表示装置１０Ａ，１０Ｂにおいて、同極性の信号線１１２とは、互いに隣接する２本の信号線１１２であって、かつ、隣接する信号線群１１２Ａにそれぞれ属する信号線１１２が該当する。【０１４６】
より具体的には、４本ごとに信号線群１１２Ａを規定した場合、各信号線群１１２Ａの４番目の信号線１１２と、当該４番目の信号線１１２に隣接した信号線群１１２Ａ内の１番目の信号線１１２とが該当する。【０１４７】
他方、表示装置１０Ａ，１０Ｂにおいて、逆極性の信号線１１２とは、上記同極性の信号線１１２以外の信号線１１２であって、かつ、隣接する２本の信号線１１２が該当する。【０１４８】
また、同極性の信号線１１２間に配置されたサブピクセル１０３を「同極性間のサブピクセル１０３」と表現し、逆極性の信号線１１２間に配置されたサブピクセル１０３を「逆極性間のサブピクセル１０３」と表現することにする。【０１４９】
このとき、同極性間のサブピクセル１０３は、図９および図１２の表示装置１０Ａ，１０Ｂでは、各信号線群１１２Ａ内の４番目すなわちいちばん番号の大きい信号線１１２に接続されたサブピクセル１０３が該当する。【０１５０】
これに対して、図５の接続形態とは違えて図１７（ｂ）に示すようにサブピクセル電極１１６が右側の信号線１１２に接続される場合には、同極性のサブピクセル１０３は、各信号線群１１２Ａ内の１番目の信号線１１２に接続されたサブピクセル１０３が該当する。なお、逆極性間のサブピクセル１０３とは、同極性間のサブピクセル１０３以外のサブピクセル１０３が該当する。【０１５１】
上述の電圧変化に伴う輝度変化に対して、表示装置１０Ａ，１０Ｂの液晶パネル１００Ａ，１００Ｂでは次のような対策が施されている。すなわち、図９および図１２に示すように、上述の明るく表示される４列目、８列目および１２列目のサブピクセル１０３、すなわち同極性間のサブピクセル１０３として、青（Ｂ）のサブピクセル１０３を配置している。【０１５２】
これは、青（Ｂ）は液晶パネル１００Ａ，１００Ｂの表示色（４色）のうちで最も輝度が低いので、上述の電圧変化によっても輝度変化を目立たなくすることができることに基づく。このとき、縦シャドー（図３５参照）が起こりにくいという効果もある。その結果、良好な表示が得られる。【０１５３】
なお、各色のサブピクセル１０３の輝度は、例えば、同じ明るさのバックライトを用いて同じ階調の表示をした場合に輝度計で測定した値に基づいて比較される。【０１５４】
その一方で、同極性の信号線１１２間に青（Ｂ）のサブピクセル１０３を配置すると、輝度変化に伴って、グレースケール表示（全色に同一階調を入力した場合の黒、灰、白の表示）時に色味、換言すればホワイトバランスのシフトが生じうる。【０１５５】
具体的には、図１８のグラフ（色度図）に示すように青味を帯びる。なお、図１８において、“●”は信号線１１２を４本ごとに信号線群１１２Ａとして区分した場合の表示装置１０Ａ，１０Ｂ（図９および図１２参照）を示し、“□”は図３０の従来の駆動方法（第１例）を示し、“△”は図３１の従来の駆動方法（第２例）を示す。【０１５６】
ただし図１８は表示装置１０Ａ，１０Ｂおよび２つの従来の駆動方法について同一の白色バックライトを使用した場合のシミュレーション結果であり、表示装置１０Ａ，１０Ｂでは、バックライト３００（図１参照）が白から黄の側へシフトさせた光、換言すれば白に青の補色である黄を混色した光を出射するように、光源（蛍光管やＬＥＤ等）のスペクトルを調整しまたは光源を組み合わせている。したがって、表示装置１０Ａ，１０Ｂによれば、上述の色味シフトを改善して良好なホワイトバランスが得られる。【０１５７】
ここで、ノーマリー・ホワイト方式の場合は上述のように同極性の信号線１１２間に青（Ｂ）のサブピクセル１０３を配置すると青味を帯びる。これに対して、ノーマリー・ブラック（Normally  Black）方式の場合、同極性間の青（Ｂ）のサブピクセル１０３に上述の電圧変化が生じると、当該サブピクセル１０３の輝度は下がるので、グレースケール表示において黄味を帯びる。【０１５８】
したがって、ノーマリー・ブラック方式の場合、バックライト３００からの出射光が白から青の側へシフトした光、換言すれば白に青を混色した光になるように光源のスペクトル調整等をすることによって、良好なホワイトバランスが得られる。【０１５９】
なお、このようなバックライト３００の色調整による色味シフトの改善は同極性間のサブピクセル１０３が青（Ｂ）である場合に限られるものではなく、この点は後にさらに説明する。【０１６０】
上述のグレースケールの色味シフトは、図１９に示す実施形態３に係る表示装置１０Ｃによっても改善できる。表示装置１０Ｃの液晶パネル１００Ｃは、上述の液晶パネル１００Ｂ（図１２参照）とは色の配列が異なる。詳細には、液晶パネル１００Ｃでは、第１方向Ｄ１に赤（Ｒ）、緑（Ｇ）、青（Ｂ）および白（Ｗ）のサブピクセル１０３がこの順序で繰り返し並んでおり、第２方向Ｄ２には同じ色のサブピクセル１０３が並んでいる。【０１６１】
すなわち、既述のように信号線群１１２Ａに規定した場合（図１９では４本ごとの場合を例示している）、同極性の信号線１１２の間には白（Ｗ）のサブピクセル１０３が配置される。【０１６２】
白（Ｗ）は液晶パネル１００Ｃの表示色（４色）のうちで最も色味が少ないので、上述の電圧変化によってもグレースケール表示でのシフトを少なくする、さらには無くすことができ、良好な表示が得られる。なお、データ並べ替え部２４０（図５参照）によって液晶パネル１００Ｃの色配列に対応した階調データＲ０，Ｇ０，Ｂ０，Ｗ０の並べ替えは可能である。【０１６３】
なお、液晶パネル１００Ｃをストレート配線型（図９参照）にして表示装置１０Ｃを構成してもよいし、表示装置１０Ｃにおいて信号線１１２および個別ドライバ２１２を８個ごと等に信号線群１１２Ａおよび個別ドライバ群２１２Ａを規定してもよい（図１１および図１６参照）。【０１６４】
なお、表示装置１０Ｃではサブピクセル１０３の電圧変化が明るさの変化となって認識され例えばグレースケール表示において縦縞として目立つ等の場合もある。【０１６５】
このため、同極性の信号線１１２の間に、青（Ｂ）のサブピクセル１０３を配置するか、白（Ｗ）のサブピクセル１０３を配置するかは、画面サイズ、解像度、使用目的等によって選択すればよい。【０１６６】
さて、同極性間のサブピクセル１０３に生じる上述の電圧変化および輝度変化は次のような駆動方法によっても低減することができる。かかる駆動方法を適用した表示装置１０Ａ，１０Ｂ（図９および図１２参照）を実施形態４として以下に説明する。【０１６７】
なお、表示装置１０Ａ，１０Ｂの液晶パネル１００Ａ，１００Ｂでは、同極性の信号線１１２間には青（Ｂ）のサブピクセル１０３すなわち最も輝度の低いサブピクセル１０３が配置されており、この青（Ｂ）のサブピクセル１０３は両側に位置する同極性の信号線１１２のうちの一方の信号線１１２に接続されており、当該同極性の信号線１１２のうちの他方の信号線１１２には白（Ｗ）のサブピクセル１０３すなわち最も色味の少ないサブピクセル１０３が接続されている。【０１６８】
まず、実施形態４に係る第１の駆動方法では、図２０の模式図に示すように、各画素１０４について、白（Ｗ）のサブピクセル１０３用の駆動信号Ｓ１２の振幅を、赤（Ｒ）、緑（Ｇ）および青（Ｂ）のサブピクセル１０３用の駆動信号のうちの最小信号（図示の例では緑（Ｇ））と同等以下に設定する。【０１６９】
詳細には、既述のように制御部２３０（図５および図６参照）は、入力信号ｒ０，ｇ０，ｂ０から赤（Ｒ）、緑（Ｇ）および青（Ｂ）の階調データＲ０，Ｇ０，Ｂ０および白（Ｗ）の階調データＷ０を生成することによって上記４色から成る１画素分のデータを生成し、これらの階調データＷ０，Ｒ０，Ｇ０，Ｂ０の値に応じてソースドライバ２１０Ａ，２１０Ｂが駆動信号Ｓ１２の振幅を決定する。【０１７０】
このとき、例えばノーマリー・ブラック方式では階調が低いほど（すなわちサブピクセル１０３が暗いほど）駆動信号Ｓ１２の振幅は小さいので、制御部２３０は白（Ｗ）のデータＷ０を他のデータＲ０，Ｇ０，Ｂ０のうちで最も階調の低いデータと同等以下に設定する。【０１７１】
逆にノーマリー・ホワイト方式では階調が高いほど駆動信号Ｓ１２の振幅は小さいので、制御部２３０は白（Ｗ）のデータＷ０を他のデータＲ０，Ｇ０，Ｂ０のうちで最も階調の高いデータと同等以上に設定する。【０１７２】
このような駆動方法によれば、白（Ｗ）のサブピクセル１０３が接続された信号線１１２、すなわち同極性間の青（Ｂ）のサブピクセル１０３に隣接して当該青（Ｂ）のサブピクセル１０３の電位に影響を及ぼす信号線１１２へ、大きな電圧が印加されるのを抑制することができる。【０１７３】
したがって、青（Ｂ）のサブピクセル１０３の電圧変化を低減して輝度変化を小さくすることができ、その結果、良好な表示が得られる。【０１７４】
また、実施形態４に係る第２の駆動方法では、図２１の模式図に示すように、上述の第１の駆動方法によって設定された白（Ｗ）のサブピクセル１０３用の駆動信号Ｓ１２の振幅を、当該白（Ｗ）のサブピクセル１０３に隣接する青（Ｂ）のサブピクセル１０３（隣接する画素１０４に属する）用の駆動信号Ｓ１２の振幅と同等以下に設定する。【０１７５】
かかる振幅設定は、制御部２３０が上述の隣接する青（Ｂ）のサブピクセル１０３の階調データＢ０を参照することにより可能である。このような駆動方法によっても上述の効果が得られる。【０１７６】
なお、第２の駆動方法において、第１の駆動方法を利用せずに、白（Ｗ）のサブピクセル１０３用の駆動信号Ｓ１２の振幅を、当該白（Ｗ）のサブピクセル１０３に隣接する青（Ｂ）のサブピクセル１０３（隣接する画素１０４に属する）用の駆動信号Ｓ１２の振幅のみに基づいて設定してもよい（第３の駆動方法）。【０１７７】
ここで、第２および第３の駆動方法は、第１の駆動方法に比べて、青（Ｂ）のサブピクセル１０３の電位に影響を及ぼす信号線１１２へ大きな電圧が印加されにくいと考えられる。【０１７８】
これに対して、第１の駆動方法によれば、隣の画素１０４の階調データＢ０を参照する必要がないので、第２の駆動方法に比べて簡便に、換言すれば制御部２３０でのデータ処理の負担を抑えることができる。【０１７９】
また、白（Ｗ）の階調は本来的にその画素１０４の他の３色に基づいて決定されるものなので、第１の駆動方法によれば、隣の画素１０４を参照する第２および第３の駆動方法に比べて自然な表示を実現できる。【０１８０】
さて、同極性間のサブピクセル１０３に生じる上述の輝度変化は、図２２の模式図に示す実施形態５に係る液晶パネル１００Ｄによっても目立たなくすることができる。【０１８１】
すなわち、図２２ではサブピクセル１０３の大きさによって当該サブピクセル１０３の開口率の大小を表現しており、液晶パネル１００Ｄでは、青（Ｂ）のサブピクセル１０３は他の３色のサブピクセル１０３よりも開口率が低く設定されている。なお、液晶パネル１００Ｄのその他の構成は既述の液晶パネル１００Ａ，１００Ｂと基本的に同様である。【０１８２】
開口率の調整は液晶パネル１００Ｃ中の遮光性の要素、例えば信号線１１２、走査線１１３、補助容量線１１７、遮光層１４０の配置領域を調整することにより可能であり（図３および図４参照）、これらの要素１１２，１１３，１１７，１４０の２つ以上を利用して開口率を調整してもよい。【０１８３】
なお、液晶パネル１００Ｄは、ストレート配線型またはクロス配線型に構成することにより、既述の表示装置１０Ａ，１０Ｂ等に適用可能である。【０１８４】
このような液晶パネル１００Ｄによれば、ノーマリー・ホワイト方式において同一の階調を入力すると上述の輝度変化によって青（Ｂ）のサブピクセル１０３が明るくなってしまう場合に、当該青（Ｂ）のサブピクセル１０３の輝度変化を認識しにくくすることができる。【０１８５】
ここで、図２３のグラフ（色度図）に、青（Ｂ）のサブピクセル１０３の開口率を他の３色のサブピクセル１０３に対して６５％に設定した場合のシミュレーション結果を示す。なお、図２３において、“●”は信号線１１２を４本ごとに信号線群１１２Ａとして区分した場合の表示装置１０Ａ，１０Ｂ（図９および図１２参照）を示し、“□”は図３０の従来の駆動方法（第１例）を示し、“△”は図３１の従来の駆動方法（第２例）を示す。【０１８６】
図２３と既述の図１８とを比較すれば、液晶パネル１００Ｄによってホワイトバランスが改善されることがわかる。これは開口率を低下させた青（Ｂ）のサブピクセル１０３について輝度が抑えられたことに因る。【０１８７】
開口率の調整は輝度差が目立ちやすい灰色表示（中間調表示）時を基準にして行うのが好ましい。このとき、サブピクセル１０３の透過率が１０％〜４０％程度の階調（灰色表示）時において輝度差が最も目立ちやすいので、当該範囲での階調時において各色のサブピクセル１０３の輝度が同等になるように開口率を調整するのが好ましい。【０１８８】
これにより、各階調で輝度変化を認識しにくくすることができる。また、図２３から分かるように各階調でのホワイトバランスの平均値が一般的なＲＧＢパネル方式のものと同等になり、良好なホワイトバランスが得られる。【０１８９】
ここで、図２４にサブピクセル１０３への入力階調と透過率との関係を示す。図２４において、“□”は同極性間のサブピクセル１０３を示し、“▲”は逆極性間のサブピクセル１０３を示している。図２４によれば、既述のように同極性間のサブピクセル１０３の方が逆極性間のサブピクセル１０３よりも透過率すなわち輝度が高いことがわかる。【０１９０】
このとき、液晶への印加電圧と透過率（輝度）との関係が非線形性であることから、両者の透過率差または透過率比は階調によって異なる。かかる点を図２５に示す。図２５において、横軸は逆極性間のサブピクセル１０３の透過率を示し、縦軸は両者の輝度比（換言すれば透過率比）を示している。【０１９１】
図２５によれば、上述の透過率が１０％〜４０％程度の階調時において開口率を調整する場合、同極性間のサブピクセル１０３の開口率を５０％〜７０％程度低下させればよいことがわかる。【０１９２】
なお、ノーマリー・ブラック方式の場合には、図２６に示す液晶パネル１００Ｅのように、青（Ｂ）のサブピクセル１０３の開口率を他の３色のサブピクセル１０３よりも高くすればよい。【０１９３】
また、開口率の調整対象は青（Ｂ）のサブピクセル１０３に限られず、同極性間のサブピクセル１０３の開口率を調整することによって上述の効果が得られる。【０１９４】
さて、同極性間のサブピクセル１０３に生じる上述の輝度変化は、図２７の模式図に示す実施形態６に係る表示装置１０Ｆによっても目立たなくすることができる。【０１９５】
表示装置１０Ｆは既述の図１２の表示装置１０Ｂにおいて液晶パネル１００Ｂを液晶パネル１００Ｆに変えた構成を有している。詳細には、液晶パネル１００Ｆは、図１２の液晶パネル１００Ｂにおいて、２行目のサブピクセル１０３全体を１サブピクセル分右へシフトし、３行目のサブピクセル１０３全体を２サブピクセル分右へシフトし、以下同様に４行目〜６行目のサブピクセル１０３をシフトした場合にあたる。【０１９６】
したがって各信号線１１２に上記４色のサブピクセル１０３が順番に繰り返し接続されており、このため逆極性間のサブピクセル１０３として複数色のサブピクセル１０３が配置されている。【０１９７】
その結果、表示装置１０Ｆによれば、逆極性間のサブピクセル１０３での輝度変化が特定の色だけに生じないようにすることができるので、かかる輝度変化を認識しにくくすることができる。【０１９８】
液晶パネル１００Ｆのその他の構成は図１２の液晶パネル１００Ｂと基本的に同様であり、ストレート配線型（図９参照）に変形することも可能である。なお、データ並べ替え部２４０（図５参照）によって液晶パネル１００Ｆの色配列に対応した階調データＲ０，Ｇ０，Ｂ０，Ｗ０の並べ替えは可能である。【０１９９】
さて、同極性間のサブピクセル１０３に生じる上述の輝度変化は、表示装置１０Ａ等に図２８の模式図に示す実施形態７に係る駆動方法を適用することによっても目立たなくすることができる。なお、図２８には同極性間のサブピクセル１０３が白（Ｗ）の場合を例示しているが、これに限られない。【０２００】
ノーマリー・ホワイト方式の場合、同極性間の白（Ｗ）のサブピクセル１０３に上述の電圧変化（電圧低下）が生じると輝度が高くなる（図２８（ａ）の左図中の破線部分を参照）。実施形態７に係る駆動方法では、かかる輝度増加分を見越して当該白（Ｗ）のサブピクセル１０３へ印加する駆動信号Ｓ１２を補正する（図２８（ｂ）を参照）。【０２０１】
詳細には、駆動装置２００（図５参照）は、同極性間の白（Ｗ）のサブピクセル１０３へ供給する駆動信号Ｓ１２の振幅を、同極性の信号線１１２のうちで当該同極性間のサブピクセル１０３が接続されていない方の信号線１１２（図２８の例では赤（Ｒ）のサブピクセル１０３が接続されている）へ印加する駆動信号Ｓ１２の影響を加味してあらかじめ補正しておく。【０２０２】
より具体的には、ノーマリー・ホワイト方式の場合には図２８（ｂ）に示すように同極性間の白（Ｗ）のサブピクセル１０３へ供給する駆動信号Ｓ１２の振幅を増大させる。【０２０３】
このような振幅の増大補正は、例えば制御部２３０（図５参照）が入力信号ｒ０，ｇ０，ｂ０から階調データＲ０，Ｇ０，Ｂ０，Ｗ０を生成する際に、隣の赤（Ｒ）の階調データＲ０の値（階調）に基づいて、白（Ｗ）の階調データＷ０の値（階調）を減少させることにより可能である。【０２０４】
ところで、同極性間のサブピクセル１０３に限らず各サブピクセル１０３の電位は両側の信号線１１２の電圧（電位）の影響を受けるので、入力信号ｒ０，ｇ０，ｂ０における階調（輝度）をそのまま各サブピクセル１０３へ供給しても、厳密にはその所望の階調で表示されない（図２９参照）。【０２０５】
このような場合にも、上述と同様に各サブピクセル１０３へ供給する駆動信号Ｓ１２の振幅をあらかじめ補正すればよく、例えば特許文献６に開示された技術を利用することができる。【０２０６】
このとき、同極性間のサブピクセル１０３へ供給する駆動信号Ｓ１２の上述の補正と組み合わることによって、いっそう良好な表示が得られる。この場合、同極性間のサブピクセル１０３とそれ以外のサブピクセル１０３（すなわち逆極性間のサブピクセル１０３）とでは、既述のように両側の信号線１１２の極性の状態が異なるので、補正量（補正式）は異なり、具体的には同極性間のサブピクセル１０３についての補正量の方が大きくなる。【０２０７】
なお、ノーマリー・ブラック方式の場合にも同様の補正が可能である。【０２０８】
さて、上述の説明では最も左端に配列された信号線１１２から数えて信号線群１１２Ａを区分したが、左から２番目以降の信号線１１２から数えて信号線群１１２Ａを区分してもよい。【０２０９】
その場合、当該２番目以降の信号線１１２を新たな１番目として採番すれば上述の説明は妥当である。個別ドライバ群２１２Ａの区分についても同様である。【０２１０】
また、上述の説明では液晶パネル１００Ａ等が白（Ｗ）、赤（Ｒ）、緑（Ｇ）および青（Ｂ）の４色で構成される場合を述べたが、サブピクセル１０３の色の種類および数はこれらに限られない。【０２１１】
例えば、液晶パネル１００Ａ等を、赤（Ｒ）、緑（Ｇ）、青（Ｂ）および黄（Ｙ）の４色で構成してもよいし（変形例１）、シアン（Ｃ）、マゼンタ（Ｍ）、黄（Ｙ）および緑（Ｇ）の４色で構成してもよいし（変形例２）、赤（Ｒ）、緑（Ｇ）、青（Ｂ）、シアン（Ｃ）、マゼンタ（Ｍ）および黄（Ｙ）の６色で構成してもよい（変形例３）。【０２１２】
このとき、変形例１〜３での上述の色において、最も輝度（透過率）の低い色は青（Ｂ）であり、赤（Ｒ）、マゼンタ（Ｍ）、緑（Ｇ）、シアン（Ｃ）の順に輝度が高くなり、最も輝度が高いのは黄（Ｙ）であるので、上述の説明における「最も輝度の低い色」として、例えば、変形例１，３では青（Ｂ）が挙げられ、変形例２ではマゼンタ（Ｍ）が挙げられる。また、これらの色において、上述の説明における「最も色味の少ない色」として例えば黄（Ｙ）が挙げられる。【０２１３】
ここで、同極性の信号線１１２間に青（Ｂ）のサブピクセル１０３を配置した場合を例示して色味シフトの発生およびこれの改善手段を既述したが、同極性間のサブピクセル１０３の色は青（Ｂ）に限られない。【０２１４】
例えば、上述の最も輝度の低い色の他の例であるマゼンタ（Ｍ）等であってもよいし、上述の最も色味の少ない色の例である黄（Ｙ）等であってもよい。【０２１５】
つまり、ノーマリー・ホワイト方式の場合には同極性間のサブピクセル１０３の色の補色と白との混合光を出射するバックライト装置３００（図１参照）を適用し、ノーマリー・ブラック方式の場合には同極性間のサブピクセル１０３の色と白との混合光を出射するバックライト装置３００を適用することによって、同極性間のサブピクセル１０３の色に起因した色味シフトを改善することができる。【０２１６】
また、上述の説明では表示装置１０Ａ等がバックライト装置３００（図１参照）を有する透過型液晶表示装置の場合を述べたが、上述の種々の構成および駆動方法を、バックライト装置３００を有さない、いわゆる反射型・微反射型の液晶表示装置に応用することも可能であるし（ただしバックライト３００の出射光のスペクトルを調整する上述の構成は除く）、さらに、いわゆる半透過型液晶表示装置に応用することも可能である。【０２１７】
さらに、表示部材は液晶パネル１００Ａに限定されるものではなく、例えばＥＬ（Ｅｌｅｃｔｒｏｌｕｍｉｎｅｓｃｅｎｃｅ）パネルであってもよい。
【産業上の利用可能性】
【０２１８】
本発明によれば、シャドー（クロストーク）を低減可能な表示装置および表示部材の駆動方法を提供することができる。
【図１】
2007063620.tif 000003
【図２】
2007063620.tif 000004
【図３】
2007063620.tif 000005
【図４】
2007063620.tif 000006
【図５】
2007063620.tif 000007
【図６】
2007063620.tif 000008
【図７】
2007063620.tif 000009
【図８】
2007063620.tif 000010
【図９】
2007063620.tif 000011
【図１０】
2007063620.tif 000012
【図１１】
2007063620.tif 000013
【図１２】
2007063620.tif 000014
【図１３】
2007063620.tif 000015
【図１４】
2007063620.tif 000016
【図１５】
2007063620.tif 000017
【図１６】
2007063620.tif 000018
【図１７】
2007063620.tif 000019
【図１８】
2007063620.tif 000020
【図１９】
2007063620.tif 000021
【図２０】
2007063620.tif 000022
【図２１】
2007063620.tif 000023
【図２２】
2007063620.tif 000024
【図２３】
2007063620.tif 000025
【図２４】
2007063620.tif 000026
【図２５】
2007063620.tif 000027
【図２６】
2007063620.tif 000028
【図２７】
2007063620.tif 000029
【図２８】
2007063620.tif 000030
【図２９】
2007063620.tif 000031
【図３０】
2007063620.tif 000032
【図３１】
2007063620.tif 000033
【図３２】
2007063620.tif 000034
【図３３】
2007063620.tif 000035
【図３４】
2007063620.tif 000036
【図３５】
2007063620.tif 000037
【手続補正書】
【提出日】平成20年5月1日(2008.5.1)
【手続補正１】
【補正対象書類名】特許請求の範囲
【補正対象項目名】請求項２６
【補正方法】変更
【補正の内容】
【請求項２６】
表示領域内に２次元配列されたＰ種類（Ｐは４以上の偶数）の色の複数のサブピクセルと、前記複数のサブピクセルに接続された複数の信号線とを含む、表示部材の駆動方法であって、
前記複数の信号線は、前記表示領域内において第１方向に配列されかつ前記第１方向に直交する第２方向にそれぞれ延在しており、
前記複数の信号線を前記表示領域内で連続するＱ本（ＱはＰの自然数倍）ごとに複数の信号線群に区分した場合に、
前記複数のサブピクセルはＰ種類の色が前記第１方向に繰り返し並ぶように２次元配列されており、これにより前記各信号線群のｓ番目（ｓは１以上Ｑ以下の自然数）の前記信号線には互いに同じ色の前記サブピクセルが接続されており、
前記駆動方法は、奇数番目の前記信号線群の前記表示領域内でｓ番目の前記信号線へ第１信号を印加するときには偶数番目の前記信号線群の前記表示領域内でｓ番目の前記信号線へ第２信号を印加し、
かつ、前記各信号線群内において前記表示領域内で隣接する前記信号線には前記第１信号および前記第２信号をそれぞれ印加することを特徴とする表示部材の駆動方法。
【手続補正２】
【補正対象書類名】特許請求の範囲
【補正対象項目名】請求項２９
【補正方法】変更
【補正の内容】
【請求項２９】
前記各サブピクセルの階調に関する色ごとのデータ列から成る第１並列データ列を第１クロックに同期して遅延させて複数の第２並列データ列を生成し、
前記複数の第２並列データ列中から、前記第１クロックよりも周波数の高い第２クロックに同期しかつ前記表示領域内での前記第１方向における色の配列順に従って、Ｋ個（ＫはＰよりも小さい自然数）のデータを並列にサンプリングしてＫ個のデータ列から成る第３並列データ列を生成し、
前記第３並列データ列に基づいて駆動信号を生成することを特徴とする請求項２８に記載の表示部材の駆動方法。
【手続補正３】
【補正対象書類名】特許請求の範囲
【補正対象項目名】請求項３３
【補正方法】変更
【補正の内容】
【請求項３３】
前記各サブピクセルの階調に関する色ごとのデータ列から成る第１並列データ列を第１クロックに同期して遅延させて複数の第２並列データ列を生成し、
前記複数の第２並列データ列中から、前記第１クロックよりも周波数の高い第２クロックに同期しかつ前記表示領域内での前記第１方向における色の配列順に従って、
Ｋ個（ＫはＰよりも小さい自然数）のデータを並列にサンプリングしてＫ個のデータ列から成る第３並列データ列を生成し、
前記第３並列データ列を前記第２クロックに同期して遅延させて複数の第４並列データ列を生成し、
前記複数の第４並列データ列中から、前記第２クロックに同期しかつ前記非表示領域内における前記信号線の配列順および前記各信号線に接続された前記サブピクセルの色に従って、Ｋ個のデータを並列にサンプリングしてＫ個のデータ列から成る第５並列データ列を生成し、
前記第５並列データ列に基づいて駆動信号を生成することを特徴とする請求項３２に記載の表示部材の駆動方法
【手続補正４】
【補正対象書類名】明細書
【補正対象項目名】００２８
【補正方法】変更
【補正の内容】
【００２８】
すなわち、各走査線１１３は表示領域１０１内において第１方向Ｄ１に延在し、これらの走査線１１３が表示領域１０１内において第２方向Ｄ２に配列されている。信号線１１２と走査線１１３との各交差部分にはＴＦＴ１１４が設けられている。
【手続補正５】
【補正対象書類名】明細書
【補正対象項目名】００７１
【補正方法】変更
【補正の内容】
【００７１】
つまり、先にサンプリングしたデータＷ１，Ｒ１，Ｇ１に続いて、表示領域１０１内での第１方向Ｄ１における色の配列順に従って次の３個のデータＢ１，Ｗ２，Ｒ２をサンプリングしたことになる。以下同様にして、サンプリングする。なお、かかるサンプリングは例えば論理回路やいわゆるマイクロプロセッサによって可能である。
【手続補正６】
【補正対象書類名】明細書
【補正対象項目名】００７３
【補正方法】変更
【補正の内容】
【００７３】
なお、データ列ＸＳを成すデータＷ１，Ｂ１，Ｇ２，Ｒ３，Ｗ４，Ｂ４，…は第１方向Ｄ１に２個置きに並ぶサブピクセル１０３の階調データであり、データ列ＹＳを成すデータＲ１等およびデータ列ＺＳを成すデータＧ１等も同様のデータ構造を成している。そして、データ並び替え部２４０は、３つのデータ列ＸＳ，ＹＳ，ＺＳを、上述の階調データＸ，Ｙ，Ｚとして出力する。
【手続補正７】
【補正対象書類名】明細書
【補正対象項目名】００８３
【補正方法】変更
【補正の内容】
【００８３】
このため、サブピクセル電極１１６に印加された電圧の極性をもってサブピクセル１０３の極性を表現することにする。例えば"＋"のサブピクセル１０３とはそれのサブピクセル電極１１６の極性が"＋"であることを意味する。なお、駆動信号Ｓ１２、サブピクセル電極１１６およびサブピクセル１０３の極性は透明電極１３６の電位を基準にして規定される。
【手続補正８】
【補正対象書類名】明細書
【補正対象項目名】００８８
【補正方法】変更
【補正の内容】
【００８８】
このため、各個別ドライバ群２１２Ａ内の１番目の個別ドライバ２１２は白（Ｗ）のサブピクセル１０３用の駆動信号Ｓ１２を出力する。同様に、各個別ドライバ群２１２Ａ内の２番目ないし４番目の個別ドライバ２１２は、非表示領域１０２内および表示領域１０１内で２番目ないし４番目に配列された信号線１１２に接続され、赤（Ｒ）、緑（Ｇ）および青（Ｂ）のサブピクセル１０３用の駆動信号Ｓ１２をそれぞれ出力する。
【手続補正９】
【補正対象書類名】明細書
【補正対象項目名】０１３７
【補正方法】変更
【補正の内容】
【０１３７】
さて、サブピクセル１０３が電圧（電位）を保持している期間において、サブピクセル１０３の電圧実効値は、両側の信号線１１２に印加された駆動信号Ｓ１２の影響を受けて当初入力された値から変化する。
【手続補正１０】
【補正対象書類名】明細書
【補正対象項目名】０１５０
【補正方法】変更
【補正の内容】
【０１５０】
これに対して、図５の接続形態とは違えて図１７（ｂ）に示すようにサブピクセル電極１１６が右側の信号線１１２に接続される場合には、同極性間のサブピクセル１０３は、各信号線群１１２Ａ内の１番目の信号線１１２に接続されたサブピクセル１０３が該当する。なお、逆極性間のサブピクセル１０３とは、同極性間のサブピクセル１０３以外のサブピクセル１０３が該当する。
【国際調査報告】
2007063620.tif 000038
2007063620.tif 000039
2007063620.tif 000040
2007063620.tif 000041